(57)【要約】  ワイヤレス通信のための方法、システム、およびデバイスについて説明する。デバイスは、サブフレーム内で物理ブロードキャストチャネル（ＰＢＣＨ）の繰り返し部分（たとえば、変調シンボル）を受信し得る。ＰＢＣＨの部分は、サブフレームの様々なシンボル期間中に繰り返され得、繰り返しのためのシンボル期間は、基準信号、同期信号、またはダウンリンク送信のロケーションに少なくとも部分的に基づいて選択され得る。セル固有基準信号（ＣＲＳ）を含むシンボル期間は、ＰＢＣＨの部分を繰り返すために使用され得る。ＣＲＳを含むよりもブロードキャスト情報とＣＲＳとの両方を含むＰＢＣＨの変調シンボルは、サブフレームのシンボル期間中にサブフレーム内で繰り返され得る。後続のサブフレーム中でのＰＢＣＨの部分の繰り返しは、後続のサブフレーム中で利用可能なリソースに同様にまたは別様にマッピングされ得る。デバイスは、ＰＢＣＨの繰り返し部分の間の位相の差を使用することによってＰＢＣＨの特性を識別し得る。【選択図】図３Ａ
2018524914.tif 000002
【特許請求の範囲】
【請求項１】
ワイヤレス通信の方法であって、
フレームの第１のサブフレーム中の物理ブロードキャストチャネル（ＰＢＣＨ）を識別することと、
前記第１のサブフレームのセル固有基準信号（ＣＲＳ）パターンを識別することと、
前記第１のサブフレームのシンボル期間に前記ＰＢＣＨの一部分の第１の繰り返しをマッピングすること、前記第１のサブフレームの前記シンボル期間は、ＣＲＳを備える、と、
前記第１のサブフレームを送信することと
を備える、方法。
【請求項２】
前記第１のサブフレーム中の前記ＰＢＣＨを識別することは、
前記ＰＢＣＨの部分と前記ＣＲＳとを備えるシンボルの第１のセットを識別することと、
前記ＣＲＳなしに前記ＰＢＣＨの一部分を備えるシンボルの第２のセットを識別することと
を備える、請求項１に記載の方法。
【請求項３】
前記ＰＢＣＨの前記一部分の前記第１の繰り返しをマッピングすることは、
ＰＢＣＨの繰り返しのために利用可能である前記第１のサブフレームの第１のシンボル期間を識別すること、前記第１のシンボル期間は、前記ＣＲＳを備える、と、
前記第１のシンボル期間中にシンボルの前記第１のセットのうちの少なくとも１つのシンボルを繰り返すことと
を備える、請求項２に記載の方法。
【請求項４】
ＰＢＣＨの繰り返しのために利用可能である第２のシンボル期間を識別すること、前記第２のシンボル期間は、前記ＣＲＳを除外する、と、
前記第２のシンボル期間中にシンボルの前記第２のセットのうちの少なくとも１つのシンボルを繰り返すことと
をさらに備える、請求項３に記載の方法。
【請求項５】
前記フレームの第２のサブフレームのＣＲＳパターンを識別することと、
前記フレームの前記第２のサブフレームに前記ＰＢＣＨの各部分をマッピングすることと、
前記第２のサブフレームのシンボル期間に前記ＰＢＣＨの前記一部分の第２の繰り返しをマッピングすること、前記第２のサブフレームの前記シンボル期間は、前記ＣＲＳを備える、と、
前記第２のサブフレームを送信することと
をさらに備える、請求項１に記載の方法。
【請求項６】
前記第１のサブフレームと前記第２のサブフレームとの前記ＣＲＳパターンはそれぞれ、同じＣＲＳパターンを備え、前記ＰＢＣＨの前記一部分は、前記第１のサブフレームと前記第２のサブフレームとの中のシンボル期間の対応するセットにマッピングされる、
請求項５に記載の方法。
【請求項７】
前記ＣＲＳなしに前記第２のサブフレームのシンボル期間に前記ＰＢＣＨの第２の部分の第３の繰り返しをマッピングすることをさらに備え、サブキャリアのサブセットは、前記第２のサブフレームの前記シンボル期間中に前記ＰＢＣＨを除外する、
請求項６に記載の方法。
【請求項８】
前記第１のサブフレームと前記第２のサブフレームとはそれぞれ、同じＣＲＳパターンを備え、前記ＰＢＣＨの各部分は、前記第１のサブフレームと前記第２のサブフレームとにわたって等しい回数繰り返される、
請求項５に記載の方法。
【請求項９】
前記第１のサブフレームと前記第２のサブフレームとの前記ＣＲＳパターンはそれぞれ、同じＣＲＳパターンを備え、前記ＰＢＣＨは、前記第１のサブフレームと前記第２のサブフレームとの各々の中のシンボル期間の異なるセットにマッピングされる、
請求項５に記載の方法。
【請求項１０】
前記ＣＲＳなしに前記第２のサブフレームのシンボル期間に前記ＰＢＣＨの一部分を備える第３の繰り返しをマッピングすることをさらに備え、サブキャリアのサブセットは、前記第２のサブフレームの前記シンボル期間中に前記ＰＢＣＨを除外する、
請求項９に記載の方法。
【請求項１１】
サブキャリアインデックス、スロットインデックス、セル識別情報、またはシンボルインデックスに少なくとも部分的に基づく位相だけ前記ＰＢＣＨの各繰り返し部分を回転させることをさらに備える、
請求項９に記載の方法。
【請求項１２】
ワイヤレス通信の方法であって、
サブフレーム中のＰＢＣＨを受信すること、ここにおいて、前記サブフレームの少なくとも１つのシンボル期間は、セル固有基準信号（ＣＲＳ）と前記ＰＢＣＨの一部分の繰り返しとを備える、と、
前記ＰＢＣＨを復号することと
を備える、方法。
【請求項１３】
前記ＰＢＣＨを復号することは、
前記ＰＢＣＨをブラインド検出することを備える、
請求項１２に記載の方法。
【請求項１４】
前記ＰＢＣＨをブラインド検出することは、
前記ＰＢＣＨの前記一部分の繰り返しパターンを決定することと、
前記ＰＢＣＨの前記一部分の前記繰り返しパターンに少なくとも部分的に基づいて前記サブフレーム中の前記ＰＢＣＨをモニタすることと
を備える、請求項１３に記載の方法。
【請求項１５】
前記繰り返しパターンに少なくとも部分的に基づいて前記サブフレーム中の前記ＰＢＣＨをモニタすることは、
前記繰り返しパターンに少なくとも部分的に基づいて前記ＰＢＣＨのための前記サブフレーム中の候補ロケーションのセットを識別することを備える、
請求項１４に記載の方法。
【請求項１６】
セル識別情報、サブキャリアインデックス、スロットインデックス、またはシンボルインデックスに少なくとも部分的に基づく位相だけ前記ＰＢＣＨの前記一部分の前記繰り返しを備えるシンボルを逆回転させること
をさらに備える、請求項１２に記載の方法。
【請求項１７】
前記サブフレーム中の前記ＰＢＣＨを受信することは、前記サブフレーム中の前記ＰＢＣＨの前記一部分の前記繰り返しを受信することを備える、
請求項１２に記載の方法。
【請求項１８】
前記ＰＢＣＨの前記一部分の前記繰り返しを少なくとも使用して周波数を推定することをさらに備える、
請求項１７に記載の方法。
【請求項１９】
前記周波数の推定は、前記ＣＲＳに少なくとも部分的に基づく、
請求項１８に記載の方法。
【請求項２０】
前記ＰＢＣＨのために利用可能なシンボル中の信号を識別することと、
前記識別された信号に少なくとも部分的に基づいて前記ＰＢＣＨのために利用可能な前記シンボルが前記ＰＢＣＨの前記一部分の前記繰り返しを備えると決定することと
をさらに備える、請求項１７に記載の方法。
【請求項２１】
ワイヤレス通信のための装置であって、
フレームの第１のサブフレーム中の物理ブロードキャストチャネル（ＰＢＣＨ）を識別するための手段と、
前記第１のサブフレームのセル固有基準信号（ＣＲＳ）パターンを識別するための手段と、
前記第１のサブフレームのシンボル期間に前記ＰＢＣＨの一部分の第１の繰り返しをマッピングするための手段、前記第１のサブフレームの前記シンボル期間は、ＣＲＳを備える、と、
前記第１のサブフレームを送信するための手段と
を備える、装置。
【請求項２２】
前記ＰＢＣＨの部分と前記ＣＲＳとを備えるシンボルの第１のセットを識別するための手段と、
前記ＣＲＳなしに前記ＰＢＣＨの一部分を備えるシンボルの第２のセットを識別するための手段と
をさらに備える、請求項２１に記載の装置。
【請求項２３】
ＰＢＣＨの繰り返しのために利用可能である前記第１のサブフレームの第１のシンボル期間を識別するための手段、前記第１のシンボル期間は、前記ＣＲＳを備える、と、
前記第１のシンボル期間中にシンボルの前記第１のセットのうちの少なくとも１つのシンボルを繰り返すための手段と
をさらに備える、請求項２２に記載の装置。
【請求項２４】
ＰＢＣＨの繰り返しのために利用可能である第２のシンボル期間を識別するための手段、前記第２のシンボル期間は、前記ＣＲＳを除外する、と、
前記第２のシンボル期間中にシンボルの前記第２のセットのうちの少なくとも１つのシンボルを繰り返すための手段と
をさらに備える、請求項２３に記載の装置。
【請求項２５】
前記フレームの第２のサブフレームのＣＲＳパターンを識別するための手段と、
前記フレームの前記第２のサブフレームに前記ＰＢＣＨの各部分をマッピングするための手段と、
前記第２のサブフレームのシンボル期間に前記ＰＢＣＨの前記一部分の第２の繰り返しをマッピングするための手段、前記第２のサブフレームの前記シンボル期間は、前記ＣＲＳを備える、と、
前記第２のサブフレームを送信するための手段と
をさらに備える、請求項２１に記載の装置。
【請求項２６】
前記第１のサブフレームと前記第２のサブフレームとの前記ＣＲＳパターンはそれぞれ、同じＣＲＳパターンを備え、前記ＰＢＣＨの前記一部分は、前記第１のサブフレームと前記第２のサブフレームとの中のシンボル期間の対応するセットにマッピングされる、
請求項２５に記載の装置。
【請求項２７】
前記ＣＲＳなしに前記第２のサブフレームのシンボル期間に前記ＰＢＣＨの第２の部分の第３の繰り返しをマッピングするための手段をさらに備え、サブキャリアのサブセットは、前記第２のサブフレームの前記シンボル期間中に前記ＰＢＣＨを除外する、
請求項２６に記載の装置。
【請求項２８】
前記第１のサブフレームと前記第２のサブフレームとはそれぞれ、同じＣＲＳパターンを備え、前記ＰＢＣＨの各部分は、前記第１のサブフレームと前記第２のサブフレームとにわたって等しい回数繰り返される、
請求項２５に記載の装置。
【請求項２９】
前記第１のサブフレームと前記第２のサブフレームとの前記ＣＲＳパターンはそれぞれ、同じＣＲＳパターンを備え、前記ＰＢＣＨは、前記第１のサブフレームと前記第２のサブフレームとの各々の中のシンボル期間の異なるセットにマッピングされる、
請求項２５に記載の装置。
【請求項３０】
前記ＣＲＳなしに前記第２のサブフレームのシンボル期間に前記ＰＢＣＨの一部分を備える第３の繰り返しをマッピングするための手段をさらに備え、サブキャリアのサブセットは、前記第２のサブフレームの前記シンボル期間中に前記ＰＢＣＨを除外する、
請求項２９に記載の装置。
【請求項３１】
サブキャリアインデックス、スロットインデックス、セル識別情報、またはシンボルインデックスに少なくとも部分的に基づく位相だけ前記ＰＢＣＨの各繰り返し部分を回転させるための手段をさらに備える、
請求項２９に記載の装置。
【請求項３２】
ワイヤレス通信のための装置であって、
サブフレーム中のＰＢＣＨを受信するための手段、ここにおいて、前記サブフレームの少なくとも１つのシンボル期間は、セル固有基準信号（ＣＲＳ）と前記ＰＢＣＨの一部分の繰り返しとを備える、と、
前記ＰＢＣＨを復号するための手段と
を備える、装置。
【請求項３３】
前記ＰＢＣＨをブラインド検出するための手段をさらに備える、
請求項３２に記載の装置。
【請求項３４】
前記ＰＢＣＨの前記一部分の繰り返しパターンを決定するための手段と、
前記ＰＢＣＨの前記一部分の前記繰り返しパターンに少なくとも部分的に基づいて前記サブフレーム中の前記ＰＢＣＨをモニタするための手段と
をさらに備える、請求項３３に記載の装置。
【請求項３５】
前記繰り返しパターンに少なくとも部分的に基づいて前記ＰＢＣＨのための前記サブフレーム中の候補ロケーションのセットを識別するための手段をさらに備える、
請求項３４に記載の装置。
【請求項３６】
セル識別情報、サブキャリアインデックス、スロットインデックス、またはシンボルインデックスに少なくとも部分的に基づく位相だけ前記ＰＢＣＨの繰り返し部分を備えるシンボルを逆回転させるための手段
をさらに備える、請求項３２に記載の装置。
【請求項３７】
前記サブフレーム中の前記ＰＢＣＨを受信するための手段は、前記サブフレーム中の前記ＰＢＣＨの前記一部分の前記繰り返しを受信することを備えること
をさらに備える、請求項３２に記載の装置。
【請求項３８】
前記ＰＢＣＨの前記繰り返し部分を少なくとも使用して周波数を推定するための手段をさらに備える、
請求項３７に記載の装置。
【請求項３９】
ＰＢＣＨのために利用可能なシンボル中の信号を識別するための手段と、
前記識別された信号に少なくとも部分的に基づいてＰＢＣＨのために利用可能な前記シンボルが前記ＰＢＣＨの前記一部分の前記繰り返しを備えると決定するための手段と
をさらに備える、請求項３７に記載の装置。
【請求項４０】
ワイヤレス通信のための装置であって、
プロセッサと、
前記プロセッサと電子通信しているメモリと、
前記メモリに記憶され、前記プロセッサによって実行されたとき、前記装置に、
フレームの第１のサブフレーム中の物理ブロードキャストチャネル（ＰＢＣＨ）を識別することと、
前記第１のサブフレームのセル固有基準信号（ＣＲＳ）パターンを識別することと、
前記第１のサブフレームのシンボル期間に前記ＰＢＣＨの一部分の第１の繰り返しをマッピングすることと、前記シンボル期間がＣＲＳを備える、
前記第１のサブフレームを送信することと
を行わせるように動作可能な命令と
を備える、装置。
【請求項４１】
前記命令は、前記装置に、
前記ＰＢＣＨの部分と前記ＣＲＳとを備えるシンボルの第１のセットを識別することと、
前記ＣＲＳなしに前記ＰＢＣＨの一部分を備えるシンボルの第２のセットを識別することと
を行わせるように動作可能である、請求項４０に記載の装置。
【請求項４２】
前記命令は、前記装置に、
ＰＢＣＨの繰り返しのために利用可能である前記第１のサブフレームの第１のシンボル期間を識別することと、前記第１のシンボル期間が前記ＣＲＳを備える、
前記第１のシンボル期間中にシンボルの前記第１のセットのうちの少なくとも１つのシンボルを繰り返すことと
を行わせるように動作可能である、請求項４１に記載の装置。
【請求項４３】
前記命令は、前記装置に、
ＰＢＣＨの繰り返しのために利用可能である第２のシンボル期間を識別すること、前記第２のシンボル期間は、前記ＣＲＳを除外する、と、
前記第２のシンボル期間中にシンボルの前記第２のセットのうちの少なくとも１つのシンボルを繰り返すことと
を行わせるように動作可能である、請求項４２に記載の装置。
【請求項４４】
前記命令が、前記装置に、
前記フレームの第２のサブフレームのＣＲＳパターンを識別することと、
前記フレームの前記第２のサブフレームに前記ＰＢＣＨの各部分をマッピングすることと、
前記第２のサブフレームのシンボル期間に前記ＰＢＣＨの前記一部分の第２の繰り返しをマッピングすること、前記第２のサブフレームの前記シンボル期間は、前記ＣＲＳを備える、と、
前記第２のサブフレームを送信することと
を行わせるように動作可能である、請求項４０に記載の装置。
【請求項４５】
前記第１のサブフレームと前記第２のサブフレームとの前記ＣＲＳパターンはそれぞれ、同じＣＲＳパターンを備え、前記ＰＢＣＨの前記一部分は、前記第１のサブフレームと前記第２のサブフレームとの中のシンボル期間の対応するセットにマッピングされる、
請求項４４に記載の装置。
【請求項４６】
前記命令は、前記装置に、
前記ＣＲＳなしに前記第２のサブフレームのシンボル期間に前記ＰＢＣＨの第２の部分の第３の繰り返しをマッピングすることを行わせるように動作可能であり、サブキャリアのサブセットは、前記第２のサブフレームの前記シンボル期間中に前記ＰＢＣＨを除外する、
請求項４５に記載の装置。
【請求項４７】
前記第１のサブフレームと前記第２のサブフレームとはそれぞれ、同じＣＲＳパターンを備え、前記ＰＢＣＨの各部分は、前記第１のサブフレームと前記第２のサブフレームとにわたって等しい回数繰り返される、
請求項４４に記載の装置。
【請求項４８】
前記第１のサブフレームと前記第２のサブフレームとの前記ＣＲＳパターンはそれぞれ、同じＣＲＳパターンを備え、前記ＰＢＣＨは、前記第１のサブフレームと前記第２のサブフレームとの各々の中のシンボル期間の異なるセットにマッピングされる、
請求項４４に記載の装置。
【請求項４９】
前記命令は、前記装置に、
前記ＣＲＳなしに前記第２のサブフレームのシンボル期間に前記ＰＢＣＨの一部分を備える第３の繰り返しをマッピングすることを行わせるように動作可能であり、サブキャリアのサブセットは、前記第２のサブフレームの前記シンボル期間中に前記ＰＢＣＨを除外する、
請求項４８に記載の装置。
【請求項５０】
前記命令は、前記装置に、
サブキャリアインデックス、スロットインデックス、セル識別情報、またはシンボルインデックスに少なくとも部分的に基づく位相だけ前記ＰＢＣＨの各繰り返し部分を回転させること
を行わせるように動作可能である、請求項４８に記載の装置。
【請求項５１】
ワイヤレス通信のための装置であって、
プロセッサと、
前記プロセッサと電子通信しているメモリと、
前記メモリに記憶され、前記プロセッサによって実行されたとき、前記装置に、
サブフレーム中のＰＢＣＨを受信することと、ここにおいて、前記サブフレームの少なくとも１つのシンボル期間が、セル固有基準信号（ＣＲＳ）と前記ＰＢＣＨの一部分の繰り返しとを備える、
前記ＰＢＣＨを復号することと
を行わせるように動作可能な命令と
を備える、装置。
【請求項５２】
前記命令は、前記装置に、
前記ＰＢＣＨをブラインド検出することを行わせるように動作可能である、
請求項５１に記載の装置。
【請求項５３】
前記命令は、前記装置に、
前記ＰＢＣＨの前記一部分の繰り返しパターンを決定することと、
前記ＰＢＣＨの前記一部分の前記繰り返しパターンに少なくとも部分的に基づいて前記サブフレーム中の前記ＰＢＣＨをモニタすることと
を行わせるように動作可能である、請求項５２に記載の装置。
【請求項５４】
前記命令は、前記装置に、
前記繰り返しパターンに少なくとも部分的に基づいて前記ＰＢＣＨのための前記サブフレーム中の候補ロケーションのセットを識別することを行わせるように動作可能である、
請求項５３に記載の装置。
【請求項５５】
前記命令は、前記装置に、
セル識別情報、サブキャリアインデックス、スロットインデックス、またはシンボルインデックスに少なくとも部分的に基づく位相だけ前記ＰＢＣＨの繰り返し部分を備えるシンボルを逆回転させることを行わせるように動作可能である、
請求項５１に記載の装置。
【請求項５６】
前記命令は、前記装置に、
前記サブフレーム中の前記ＰＢＣＨが、前記サブフレーム中の前記ＰＢＣＨの前記一部分の前記繰り返しを受信することを備えることを受信することを行わせるように動作可能である、
請求項５１に記載の装置。
【請求項５７】
前記命令は、前記装置に、
前記ＰＢＣＨの前記繰り返し部分を少なくとも使用して周波数を推定することを行わせるように動作可能である、
請求項５６に記載の装置。
【請求項５８】
前記命令は、前記装置に、
ＰＢＣＨのために利用可能なシンボル中の信号を識別することと、
前記識別された信号に少なくとも部分的に基づいてＰＢＣＨのために利用可能な前記シンボルが前記ＰＢＣＨの前記一部分の前記繰り返しを備えると決定することと
を行わせるように動作可能である、請求項５６に記載の装置。
【請求項５９】
ワイヤレス通信のためのコードを記憶する非一時的コンピュータ可読媒体であって、前記コードは、
フレームの第１のサブフレーム中の物理ブロードキャストチャネル（ＰＢＣＨ）を識別することと、
前記第１のサブフレームのセル固有基準信号（ＣＲＳ）パターンを識別することと、
前記第１のサブフレームのシンボル期間に前記ＰＢＣＨの一部分の第１の繰り返しをマッピングすること、前記シンボル期間は、ＣＲＳを備える、と、
前記第１のサブフレームを送信することと
を行うように実行可能な命令を備える、非一時的コンピュータ可読媒体。
【請求項６０】
ワイヤレス通信のためのコードを記憶する非一時的コンピュータ可読媒体であって、前記コードは、
サブフレーム中のＰＢＣＨを受信すること、ここにおいて、前記サブフレームの少なくとも１つのシンボル期間は、セル固有基準信号（ＣＲＳ）と前記ＰＢＣＨの一部分の繰り返しとを備える、と、
前記ＰＢＣＨを復号することと
を行うように実行可能な命令を備える、非一時的コンピュータ可読媒体。
【発明の詳細な説明】
【相互参照】
【０００１】
[0001]本特許出願は、各々が本出願の譲受人に譲渡された、２０１５年７月２日に出願された、「Ｂｒｏａｄｃａｓｔ  Ｃｈａｎｎｅｌ  Ｒｅｐｅｔｉｔｉｏｎ」と題する、Ｒｉｃｏ  Ａｌｖａｒｉｎｏらによる米国仮特許出願番号第６２／１８８，４６３号、および２０１６年６月２７日に出願された、「Ｂｒｏａｄｃａｓｔ  Ｃｈａｎｎｅｌ  Ｒｅｐｅｔｉｔｉｏｎ」と題する、Ｒｉｃｏ  Ａｌｖａｒｉｎｏらによる米国特許出願番号第１５／１９４，０４５号の優先権を主張する。
【背景技術】
【０００２】
[0002]以下は、一般にワイヤレス通信に関し、より詳細には、ブロードキャストチャネルをマッピングすることに関する。
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]基地局のカバレージエリア内のいくつかのＵＥは、基地局からシステム情報を取得するのが比較的より困難であり得る。たとえば、ＵＥは、カバレージエリアの端に近くにある、固定である、ワイヤレス通信に寄与しない環境中にあるなどのことがある。これらのＵＥならびにより良い通信リンク状態で動作するＵＥは、基地局によってブロードキャストされ得るシステム情報を受信する機会がより多くなることから利益を得ることがある。
【発明の概要】
【０００５】
[0005]システムは、サブフレーム内でまたはシステムフレームの複数のサブフレーム中で送信されるべき物理ブロードキャストチャネル（ＰＢＣＨ）の繰り返し部分（たとえば、変調シンボル）を提供し得る。基地局は、サブフレームの様々なシンボル期間中に繰り返されるＰＢＣＨをもつサブフレームを送信し得る。繰り返しのために使用されるサブフレームのシンボル期間は、サブフレーム内の基準信号、同期信号、制御情報、データ送信などのロケーションに少なくとも部分的に基づいて選択され得る。ＰＢＣＨを含むサブフレーム（たとえば、ＬＴＥにおけるＳＦ０）の場合、ＰＢＣＨの部分を繰り返すためにセル固有基準信号（ＣＲＳ）を含めて、サブフレームの追加のシンボル期間が使用され得る。例として、ブロードキャスト情報とＣＲＳとの両方を含むＰＢＣＨの変調シンボルは、ＣＲＳを含むサブフレームのシンボル期間中にサブフレーム内で繰り返され得る。後続のサブフレーム中でのＰＢＣＨの部分の繰り返しは、後続のサブフレーム中で利用可能なリソースに同様にまたは別様にマッピングされ得る。
【０００６】
[0006]ＰＢＣＨの繰り返しをもつサブフレームを受信するデバイスは、繰り返し間の位相の差を使用することによってＰＢＣＨの特性を識別し得る。たとえば、ＰＢＣＨの繰り返し部分を受信するデバイスは、周波数の推定を実行するか、または受信信号が実際にＰＢＣＨであると決定し得る。
【０００７】
[0007]ワイヤレス通信の方法について説明する。本方法は、フレームの第１のサブフレーム中のＰＢＣＨを識別することと、第１のサブフレームのＣＲＳパターンを識別することと、第１のサブフレームのシンボル期間にＰＢＣＨの一部分の第１の繰り返しをマッピングすることと、シンボル期間がＣＲＳを備える、第１のサブフレームを送信することとを含み得る。
【０００８】
[0008]ワイヤレス通信のための装置について説明する。本装置は、フレームの第１のサブフレーム中のＰＢＣＨを識別するための手段と、第１のサブフレームのＣＲＳパターンを識別するための手段と、第１のサブフレームのシンボル期間にＰＢＣＨの一部分の第１の繰り返しをマッピングするための手段と、シンボル期間がＣＲＳを備える、第１のサブフレームを送信するための手段とを含み得る。
【０００９】
[0009]ワイヤレス通信のためのさらなる装置について説明する。本装置は、プロセッサと、プロセッサと電子通信しているメモリと、メモリに記憶され、プロセッサによって実行されたとき、装置に、フレームの第１のサブフレーム中のＰＢＣＨを識別することと、第１のサブフレームのＣＲＳパターンを識別することと、第１のサブフレームのシンボル期間にＰＢＣＨの一部分の第１の繰り返しをマッピングすることと、シンボル期間がＣＲＳを備える、第１のサブフレームを送信することとを行わせるように動作可能な命令とを含み得る。
【００１０】
[0010]ワイヤレス通信のためのコードを記憶した非一時的コンピュータ可読媒体について説明する。コードは、フレームの第１のサブフレーム中のＰＢＣＨを識別することと、第１のサブフレームのＣＲＳパターンを識別することと、第１のサブフレームのシンボル期間にＰＢＣＨの一部分の第１の繰り返しをマッピングすることと、シンボル期間がＣＲＳを備える、第１のサブフレームを送信することとを行うように実行可能な命令を含み得る。
【００１１】
[0011]本明細書で説明する方法、装置、または非一時的コンピュータ可読媒体のいくつかの例では、第１のサブフレーム中のＰＢＣＨを識別することは、ＰＢＣＨの部分とＣＲＳとを備えるシンボルの第１のセットを識別することと、ＣＲＳなしにＰＢＣＨの一部分を備えるシンボルの第２のセットを識別することとを備える。追加または代替として、いくつかの例では、ＰＢＣＨの一部分の第１の繰り返しをマッピングすることは、ＰＢＣＨの繰り返しのために利用可能である第１のサブフレームの第１のシンボル期間を識別することと、第１のシンボル期間がＣＲＳを備える、第１のシンボル期間中にシンボルの第１のセットのうちの少なくとも１つのシンボルを繰り返すこととを備える。
【００１２】
[0012]本明細書で説明する方法、装置、または非一時的コンピュータ可読媒体のいくつかの例としては、ＰＢＣＨの繰り返しのために利用可能である第２のシンボル期間を識別することと、第２のシンボル期間がＣＲＳを除外する、第２のシンボル期間中にシンボルの第２のセットのシンボルを繰り返すこととを行うためのプロセス、特徴、手段、または命令がさらにあり得る。追加または代替として、いくつかの例としては、フレームの第２のサブフレームのＣＲＳパターンを識別することと、フレームの第２のサブフレームにＰＢＣＨの各部分をマッピングすることと、第２のサブフレームのシンボル期間にＰＢＣＨの一部分の第２の繰り返しをマッピングすることと、第２のサブフレームのシンボル期間がＣＲＳを備える、第２のサブフレームを送信することとを行うためのプロセス、特徴、手段、または命令があり得る。
【００１３】
[0013]本明細書で説明する方法、装置、または非一時的コンピュータ可読媒体のいくつかの例では、第１のサブフレームと第２のサブフレームとのＣＲＳパターンはそれぞれ、同じＣＲＳパターンを備え、ＰＢＣＨの一部分は、第１のサブフレームと第２のサブフレームとの中のシンボル期間の対応するセットにマッピングされる。追加または代替として、いくつかの例としては、ＣＲＳなしに第２のサブフレームのシンボル期間にＰＢＣＨの第２の部分の第３の繰り返しをマッピングすること、ここにおいて、サブキャリアのサブセットは、第２のサブフレームのシンボル期間中にＰＢＣＨを除外する、を行うためのプロセス、特徴、手段、または命令があり得る。
【００１４】
[0014]本明細書で説明する方法、装置、または非一時的コンピュータ可読媒体のいくつかの例では、第１のサブフレームと第２のサブフレームとはそれぞれ、同じＣＲＳパターンを備え、ＰＢＣＨの各部分は、第１のサブフレームと第２のサブフレームとにわたって等しい回数繰り返される。追加または代替として、いくつかの例では、第１のサブフレームと第２のサブフレームとのＣＲＳパターンはそれぞれ、同じＣＲＳパターンを備え、ＰＢＣＨは、第１のサブフレームと第２のサブフレームとの各々の中のシンボル期間の異なるセットにマッピングされる。
【００１５】
[0015]本明細書で説明する方法、装置、または非一時的コンピュータ可読媒体のいくつかの例としては、ＣＲＳなしに第２のサブフレームのシンボル期間にＰＢＣＨの一部分を備える第３の繰り返しをマッピングすること、ここにおいて、サブキャリアのサブセットは、第２のサブフレームのシンボル期間中にＰＢＣＨを除外する、を行うためのプロセス、特徴、手段、または命令がさらにあり得る。追加または代替として、いくつかの例では、ＰＢＣＨは、セル識別情報（ＩＤ）に少なくとも部分的に基づいてマッピングされる。
【００１６】
[0016]本明細書で説明する方法、装置、または非一時的コンピュータ可読媒体のいくつかの例としては、サブキャリアインデックス、スロットインデックス、セル識別情報、またはシンボルインデックスに少なくとも部分的に基づく位相だけＰＢＣＨの各繰り返し部分を回転させることを行うためのプロセス、特徴、手段、または命令がさらにあり得る。追加または代替として、いくつかの例では、フレームは、時分割複信（ＴＤＤ）フレームを備える。
【００１７】
[0017]本明細書で説明する方法、装置、または非一時的コンピュータ可読媒体のいくつかの例では、第１のサブフレームは、ＴＤＤフレームのサブフレーム０（ＳＦ０）を備え、第２のサブフレームは、ＴＤＤフレームのサブフレーム５（ＳＦ５）を備える。追加または代替として、いくつかの例では、フレームは、周波数分割複信（ＦＤＤ）フレームを備える。
【００１８】
[0018]本明細書で説明する方法、装置、または非一時的コンピュータ可読媒体のいくつかの例では、第１のサブフレームは、ＦＤＤフレームのサブフレーム０（ＳＦ０）を備え、第２のサブフレームは、ＦＤＤフレームのサブフレーム９（ＳＦ９）を備える。
【００１９】
[0019]ワイヤレス通信の方法について説明する。本方法は、サブフレーム中のＰＢＣＨを受信することと、ここにおいて、サブフレームの少なくとも１つのシンボル期間は、ＣＲＳとＰＢＣＨの一部分の繰り返しとを備える、ＰＢＣＨを復号することとを含み得る。
【００２０】
[0020]ワイヤレス通信のための装置について説明する。本装置は、サブフレーム中のＰＢＣＨを受信するための手段と、ここにおいて、サブフレームの少なくとも１つのシンボル期間は、ＣＲＳとＰＢＣＨの一部分の繰り返しとを備える、ＰＢＣＨを復号するための手段とを含み得る。
【００２１】
[0021]ワイヤレス通信のためのさらなる装置について説明する。本装置は、プロセッサと、プロセッサと電子通信しているメモリと、メモリに記憶され、プロセッサによって実行されたとき、装置に、サブフレーム中のＰＢＣＨを受信することと、ここにおいて、サブフレームの少なくとも１つのシンボル期間は、ＣＲＳとＰＢＣＨの一部分の繰り返しとを備える、ＰＢＣＨを復号することとを行わせるように動作可能な命令とを含み得る。
【００２２】
[0022]ワイヤレス通信のためのコードを記憶した非一時的コンピュータ可読媒体について説明する。コードは、サブフレーム中のＰＢＣＨを受信することと、ここにおいて、サブフレームの少なくとも１つのシンボル期間は、ＣＲＳとＰＢＣＨの一部分の繰り返しとを備える、ＰＢＣＨを復号することとを行うように実行可能である命令を含み得る。
【００２３】
[0023]本明細書で説明する方法、装置、または非一時的コンピュータ可読媒体のいくつかの例としては、ＰＢＣＨをブラインド検出することを行うためのプロセス、特徴、手段、または命令がさらにあり得る。ＰＢＣＨをブラインド検出することは、ＰＢＣＨの一部分の繰り返しパターンを決定することと、ＰＢＣＨの一部分の繰り返しパターンに少なくとも部分的に基づいてサブフレーム中のＰＢＣＨをモニタすることとを含み得る。いくつかの例では、繰り返しパターンに少なくとも部分的に基づいてサブフレーム中のＰＢＣＨをモニタすることは、繰り返しパターンに少なくとも部分的に基づいてＰＢＣＨのためのサブフレーム中の候補ロケーションのセットを識別することを含む。追加または代替として、いくつかの例としては、セル識別情報（ＩＤ）に少なくとも部分的に基づいてＰＢＣＨの部分の繰り返しパターンを決定することを行うためのプロセス、特徴、手段、または命令があり得る。
【００２４】
[0024]本明細書で説明する方法、装置、または非一時的コンピュータ可読媒体のいくつかの例としては、セル識別情報、サブキャリアインデックス、スロットインデックス、またはシンボルインデックスに少なくとも部分的に基づく位相だけＰＢＣＨの繰り返し部分を備えるシンボルを逆回転させることを行うためのプロセス、特徴、手段、または命令がさらにあり得る。いくつかの例では、サブフレーム中のＰＢＣＨを受信することは、サブフレーム中のＰＢＣＨの一部分の繰り返しを受信することを備える。
【００２５】
[0025]本明細書で説明する方法、装置、または非一時的コンピュータ可読媒体のいくつかの例としては、ＰＢＣＨの繰り返し部分を少なくとも使用して周波数を推定することを行うためのプロセス、特徴、手段、または命令がさらにあり得る。追加または代替として、いくつかの例では、周波数の推定は、ＣＲＳに少なくとも部分的に基づく。
【００２６】
[0026]本明細書で説明する方法、装置、または非一時的コンピュータ可読媒体のいくつかの例としては、ＰＢＣＨのために利用可能なシンボル中の信号を識別することと、識別された信号に少なくとも部分的に基づいてＰＢＣＨのために利用可能なシンボルがＰＢＣＨの繰り返し部分を備えると決定することとを行うためのプロセス、特徴、手段、または命令がさらにあり得る。
【００２７】
[0027]以下の図を参照しながら本開示の態様について説明する。
【図面の簡単な説明】
【００２８】
【図１】本開示の様々な態様による、物理ブロードキャストチャネル（ＰＢＣＨ）の繰り返しをサポートするワイヤレス通信システムの一例を示す図。
【図２】本開示の様々な態様による、ＰＢＣＨの繰り返しをサポートするワイヤレス通信システムの一例を示す図。
【図３Ａ】本開示の様々な態様による、ＥＭＴＣのためのＰＢＣＨの繰り返しのためのＦＤＤの繰り返しパターンの例を示す図。
【図３Ｂ】本開示の様々な態様による、ＥＭＴＣのためのＰＢＣＨの繰り返しのためのＦＤＤの繰り返しパターンの例を示す図。
【図３Ｃ】本開示の様々な態様による、ＥＭＴＣのためのＰＢＣＨの繰り返しのためのＦＤＤの繰り返しパターンの例を示す図。
【図３Ｄ】本開示の様々な態様による、ＥＭＴＣのためのＰＢＣＨの繰り返しのためのＦＤＤの繰り返しパターンの例を示す図。
【図３Ｅ】本開示の様々な態様による、ＥＭＴＣのためのＰＢＣＨの繰り返しのためのＦＤＤの繰り返しパターンの例を示す図。
【図４Ａ】本開示の様々な態様による、ＥＭＴＣのためのＰＢＣＨの繰り返しのためのＴＤＤの繰り返しパターンの例を示す図。
【図４Ｂ】本開示の様々な態様による、ＥＭＴＣのためのＰＢＣＨの繰り返しのためのＴＤＤの繰り返しパターンの例を示す図。
【図５】本開示の様々な態様による、ＥＭＴＣのためのＰＢＣＨの繰り返しをサポートするプロセスフローの一例を示す図。
【図６】本開示の様々な態様による、ＥＭＴＣのためのＰＢＣＨの繰り返しをサポートするワイヤレスデバイスのブロック図。
【図７】本開示の様々な態様による、ＥＭＴＣのためのＰＢＣＨの繰り返しをサポートするワイヤレスデバイスのブロック図。
【図８】本開示の様々な態様による、ＥＭＴＣのためのＰＢＣＨの繰り返しをサポートするワイヤレスデバイスのブロック図。
【図９】本開示の様々な態様による、ＥＭＴＣのためのＰＢＣＨの繰り返しをサポートするユーザ機器（ＵＥ）を含むシステムのブロック図。
【図１０】本開示の様々な態様による、ＥＭＴＣのためのＰＢＣＨの繰り返しをサポートするワイヤレスデバイスのブロック図。
【図１１】本開示の様々な態様による、ＥＭＴＣのためのＰＢＣＨの繰り返しをサポートするワイヤレスデバイスのブロック図。
【図１２】本開示の様々な態様による、ＥＭＴＣのためのＰＢＣＨの繰り返しをサポートするワイヤレスデバイスのブロック図。
【図１３】本開示の様々な態様による、ＥＭＴＣのためのＰＢＣＨの繰り返しをサポートする基地局を含むシステムのブロック図。
【図１４】本開示の様々な態様による、ＥＭＴＣのためのＰＢＣＨの繰り返しのための方法を示す図。
【図１５】本開示の様々な態様による、ＥＭＴＣのためのＰＢＣＨの繰り返しのための方法を示す図。
【図１６】本開示の様々な態様による、ＥＭＴＣのためのＰＢＣＨの繰り返しのための方法を示す図。
【図１７】本開示の様々な態様による、ＥＭＴＣのためのＰＢＣＨの繰り返しのための方法を示す図。
【図１８】本開示の様々な態様による、ＥＭＴＣのためのＰＢＣＨの繰り返しのための方法を示す図。
【図１９】本開示の様々な態様による、ＥＭＴＣのためのＰＢＣＨの繰り返しのための方法を示す図。
【発明を実施するための形態】
【００２９】
[0038]いくつかの例では、劣悪なチャネル状態にあるユーザ機器（ＵＥ）は、基地局からシステム情報またはブロードキャスト送信を取得するのが困難であり得る。たとえば、マシン型通信（ＭＴＣ）デバイスまたはマシンツーマシン（Ｍ２Ｍ）通信デバイスなどの能力が限定されたデバイスは、しばしば、限定されたカバレージの下で動作する。したがって、これらのデバイスのためのカバレージは、カバレージ拡張のための繰り返し送信など、様々な技法を使用して改善され得る。基地局は、物理ブロードキャストチャネル（ＰＢＣＨ）などのブロードキャストチャネルの繰り返し部分をもつサブフレームを送信し得、これは、基地局のカバレージエリア中のいくつかのユーザ機器（ＵＥ）がブロードキャストチャネルを受信および復号するのを支援し得る。ＰＢＣＨはまた、たとえば、システムフレーム内で数回繰り返され得る。例として、基地局は、サブフレームの様々なシンボル期間中に繰り返されるＰＢＣＨをもつサブフレームを送信し得る。繰り返しのために使用されるサブフレームのシンボル期間は、サブフレーム内の基準信号、同期信号、制御情報、データ送信などのロケーションに少なくとも部分的に基づいて選択され得る。
【００３０】
[0039]ＰＢＣＨを含むサブフレーム（たとえば、ＬＴＥにおけるＳＦ０）の場合、ＰＢＣＨの部分を繰り返すためにセル固有基準信号（ＣＲＳ）を含めて、サブフレームの追加のシンボル期間が使用され得る。ブロードキャスト情報とＣＲＳとの両方を含むＰＢＣＨの変調シンボルは、ＣＲＳを含むサブフレームのシンボル期間中にサブフレーム内で繰り返され得る。したがって、サブフレームのいくつかのシンボル期間は、基準信号を含むものを含めて、ＰＢＣＨの繰り返しのために利用可能であり得る。このようにしてより多くのシンボル期間を活用することにより、基準信号なしのシンボルにのみ依拠することによって利用可能になるであろう数よりも多数のＰＢＣＨの繰り返しが実現され得る。さらに、ＰＢＣＨの繰り返しのためにＣＲＳをもつシンボル期間を活用することにより、ＰＢＣＨのより多くの部分をより高い頻度で繰り返すことが可能になり得る。
【００３１】
[0040]後続のサブフレーム中でのＰＢＣＨの部分の繰り返しは、後続のサブフレーム中で利用可能なリソースに同様にまたは別様にマッピングされ得る。以下で説明するように、ＰＢＣＨのマッピングおよびサブフレームの繰り返しは、フレームが時分割複信（ＴＤＤ）フレームタイプであるのかまたは周波数分割複信（ＦＤＤ）フレームタイプであるのかに応じて変動し得る。
【００３２】
[0041]いくつかの例では、基地局は、ＰＢＣＨを含むサブフレームを識別する。基地局は、さらに、サブフレームがＣＲＳ、ＰＤＣＣＨ、ＰＳＳ／ＳＳＳ、およびＰＢＣＨの繰り返しのための未使用のまたは利用可能なリソースを含むと決定し得る。基地局は、サブフレーム内の利用可能なリソースに繰り返してマッピングされ得るＰＢＣＨの部分を識別し得る。場合によっては、基地局は、サブフレーム中のＣＲＳパターンに少なくとも部分的に基づいてまたはそれを考慮する繰り返しをマッピングし得る。たとえば、基地局は、ＣＲＳリソースで多重化されたＰＢＣＨの一部分を識別し得る。基地局は、次いで、ＣＲＳリソースと利用可能なリソースとを含むサブフレーム内のシンボル期間を識別し、識別されたシンボル期間に識別された一部分の繰り返しをマッピングし得る。基地局はまた、ＣＲＳリソースで多重化されていないＰＢＣＨの部分を識別し、それを利用可能なリソースを含んでいるがＣＲＳを含んでいないシンボル期間にマッピングし得る。基地局は、サブフレームを送信し得、ＵＥは、ＰＢＣＨを識別し、繰り返しの一部または全部を使用してそれを復号し得る。
【００３３】
[0042]場合によっては、基地局は、上記で説明したマッピングプロセスと同様に、第２のサブフレームに同じＰＢＣＨをマッピングし、利用可能なリソースにＰＢＣＨの繰り返しをマッピングし得る。したがって、基地局は、ＰＢＣＨをもついくつかのサブフレームを有するフレームを送信し得る。ＵＥは、ＰＢＣＨを復号するために第１のサブフレームまたは第２のサブフレームまたはその両方を使用し得る。したがって、繰り返しのＰＢＣＨは、ＵＥがＰＢＣＨを正常に復号することになる可能性を増加させ得る。
【００３４】
[0043]上記で紹介した本開示の態様について、ワイヤレス通信システムのコンテキストで以下でさらに詳細に説明する。次いで、サブフレーム内でおよびいくつかのサブフレームにわたってＰＢＣＨの繰り返しをマッピングする特定の例について説明する。本開示のこれらおよび他の態様について、ブロードキャストチャネルの繰り返しに関係する装置図、システム図、およびフローチャートによってさらに示し、それらを参照しながら説明する。
【００３５】
[0044]図１に、本開示の様々な態様による、ＰＢＣＨの繰り返しをサポートするワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。
【００３６】
[0045]基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、ＭＴＣデバイスなどであり得る。
【００３７】
[0046]基地局１０５は、コアネットワーク１３０とおよび互いに通信し得る。たとえば、基地局１０５は、バックホールリンク１３２（たとえば、Ｓ１など）を通して、コアネットワーク１３０とインターフェースし得る。基地局１０５は、バックホールリンク１３４（たとえば、Ｘ２など）を介して直接あるいは間接的に（たとえば、コアネットワーク１３０を通して）互いに通信し得る。基地局１０５は、ＵＥ１１５との通信のための無線構成およびスケジューリングを実施し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００３８】
[0047]いくつかのタイプのワイヤレスデバイスは、自動化された通信を提供し得る。自動化されたワイヤレスデバイスは、マシンツーマシン（Ｍ２Ｍ）通信またはＭＴＣを実装するものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、センサーまたはメーターを組み込んで情報を測定またはキャプチャし、情報を利用することができる中央サーバまたはアプリケーションプログラムにその情報を中継するか、またはプログラムもしくはアプリケーションと対話する人間に情報を提示するデバイスからの通信を指すことがある。いくつかのＵＥ１１５は、情報を収集するか、または機械の自動化された挙動を可能にするように設計されたＭＴＣデバイスなどのＭＴＣデバイスであり得る。ＭＴＣデバイスのための適用例の例としては、スマートメータリング、インベントリモニタ、水位モニタ、機器モニタ、ヘルスケアモニタ、野生生物モニタ、天候および地質学的事象モニタ、フリート管理および追跡、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。場合によっては、ＭＴＣデバイスは、固定であり、劣悪なリンク品質を受けるので、ＰＢＣＨの繰り返しから利益を得ることがある。したがって、システム１００内のＭＴＣ  ＵＥ１１５は、他のＵＥ１１５に加えて、本明細書で説明するように、ＰＢＣＨの繰り返しをサポートするように構成され得る。
【００３９】
[0048]ＬＴＥシステムは、ダウンリンク（ＤＬ）上では直交周波数分割多元接続（ＯＦＤＭＡ）を利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ個）の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーすることができ、１個、２個、４個、８個、または１６個のサブバンドがあり得る。いくつかのＭＴＣ  ＵＥ１１５は、全システム帯域幅と比較して狭帯域幅で動作し得る。
【００４０】
[0049]キャリアは、周波数分割複信（ＦＤＤ）動作を使用して（たとえば、対スペクトルリソースを使用して）、または時分割複信（ＴＤＤ）動作を使用して（たとえば、不対スペクトルリソースを使用して）双方向通信を送信し得る。ＦＤＤ用のフレーム構造（たとえば、フレーム構造タイプ１）およびＴＤＤ用のフレーム構造（たとえば、フレーム構造タイプ２）が定義され得る。ＴＤＤフレーム構造の場合、各サブフレームは、ＵＬトラフィックまたはＤＬトラフィックを搬送し得、ＤＬ送信とＵＬ送信との間で切り替わるために特殊サブフレームが使用され得る。無線フレーム内でのＵＬサブフレームおよびＤＬサブフレームの割振りは、対称または非対称であり得、静的に決定され得るか、または半静的に再構成され得る。特殊サブフレームは、ＤＬトラフィックまたはＵＬトラフィックを搬送し得、ＤＬトラフィックとＵＬトラフィックとの間にガード期間（ＧＰ）を含み得る。ＵＬトラフィックからＤＬトラフィックへの切替えは、特殊サブフレームまたはガード期間を使用せずに、ＵＥ１１５においてタイミングアドバンスを設定することによって達成され得る。フレーム期間（たとえば、１０ｍｓ）またはフレーム期間の１／２（たとえば、５ｍｓ）に等しい切替えポイント周期性をもつＵＬ−ＤＬ構成もサポートされ得る。たとえば、ＴＤＤフレームは１つまたは複数の特殊フレームを含み得、特殊フレーム間の期間が、フレームのためのＴＤＤ  ＤＬからＵＬへの切替えポイント周期性を決定し得る。ＴＤＤの使用は、対ＵＬ−ＤＬスペクトルリソースを必要としない柔軟な展開を提供する。いくつかのＴＤＤネットワーク展開では、ＵＬ通信とＤＬ通信との間で干渉（たとえば、異なる基地局からのＵＬ通信とＤＬ通信との間の干渉、基地局およびＵＥからのＵＬ通信とＤＬ通信との間の干渉など）が引き起こされ得る。たとえば、異なるＴＤＤ  ＵＬ−ＤＬ構成に従って重複するカバレージエリア内で異なる基地局１０５が異なるＵＥ１１５をサービスする場合、サービング基地局１０５からのＤＬ送信を受信し復号することを試みるＵＥ１１５は、他の近接して位置するＵＥ１１５からのＵＬ送信からの干渉に遭遇する可能性がある。いくつかのＭＴＣ  ＵＥは、半二重動作のために構成され得る。
【００４１】
[0050]データは、論理チャネルと、トランスポートチャネルと、物理レイヤチャネルとに分割され得る。チャネルはまた、制御チャネルとトラフィックチャネルとに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）とを含み得る。ＤＬトランスポートチャネルは、ブロードキャスト情報のためのブロードキャストチャネル（ＢＣＨ）と、データ転送のためのダウンリンク共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。アップリンク（ＵＬ）トランスポートチャネルは、アクセスのためのランダムアクセスチャネル（ＲＡＣＨ）と、データのためのアップリンク共有チャネル（ＵＬ−ＳＣＨ）とを含み得る。ＤＬ物理チャネルは、ブロードキャスト情報のためのＰＢＣＨと、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ハイブリッド自動再送要求（ＨＡＲＱ）ステータスメッセージのための物理ＨＡＲＱインジケータチャネル（ＰＨＩＣＨ）と、ユーザデータのための物理ダウンリンク共有チャネル（ＰＤＳＣＨ）と、マルチキャストデータのための物理マルチキャストチャネル（ＰＭＣＨ）とを含み得る。ＵＬ物理チャネルは、アクセスメッセージのための物理ランダムアクセスチャネル（ＰＲＡＣＨ）、制御データのための物理アップリンク制御チャネル（ＰＵＣＣＨ）、およびユーザデータのための物理アップリンク共有チャネル（ＰＵＳＣＨ）を含み得る。様々なチャネルが繰り返され得るが、本明細書で説明するＰＢＣＨの繰り返しは、ＭＴＣ  ＵＥ１１５のためを含めてシステム取得をサポートし得るので特に有利であり得る。
【００４２】
[0051]ＰＤＣＣＨは、制御チャネル要素（ＣＣＥ：control channel element）中でダウンリンク制御情報（ＤＣＩ：downlink control information）を搬送し、これは、９つの論理的に連続するリソース要素グループ（ＲＥＧ：resource element group）からなり得、ここで、各ＲＥＧは、４つのリソース要素（ＲＥ：resource element）を含んでいる。ＤＣＩは、ＤＬスケジューリング割当て、ＵＬリソース許可、送信スキーム、ＵＬ電力制御、ＨＡＲＱ情報、変調およびコーディングスキーム（ＭＣＳ）に関する情報、ならびに他の情報を含む。ＤＣＩメッセージのサイズおよびフォーマットは、ＤＣＩによって搬送される情報のタイプおよび量に応じて異なり得る。たとえば、空間多重化がサポートされる場合、ＤＣＩメッセージのサイズは、連続周波数割振りと比較して大きい。同様に、多入力多出力（ＭＩＭＯ）技法を採用するシステムの場合、ＤＣＩは、追加のシグナリング情報を含み得る。ＤＣＩサイズおよびフォーマットは、情報の量、ならびに帯域幅、アンテナポートの数、および複信モードなどのファクタに依存する。いくつかのワイヤレスシステムは、ＭＴＣ  ＵＥについての制御およびスケジューリング情報のためにＭＴＣ  ＰＤＣＣＨ（ＭＰＤＣＣＨ）を使用し得る。場合によっては、ＵＥは、これらのチャネルにわたるチャネル推定バンドリングを可能にするためにＭＰＤＣＣＨおよびＰＤＳＣＨのために同じアンテナポートを使用し得る。場合によっては、レガシーまたは新しい共通のポートが使用され得る。
【００４３】
[0052]基地局１０５は、ＵＥ１１５のチャネル推定およびコヒーレント復調を助けるためにＣＲＳなどの周期パイロットシンボルを挿入し得る。ＣＲＳは、５０４個の異なるセル識別情報のうちの１つを含み得る。それらは、それらを雑音および干渉に対して耐性があるようにするために、４位相偏移変調（ＱＰＳＫ）とブーストされた（たとえば、周囲のデータ要素よりも６ｄＢ高く送信された）電力とを使用して変調され得る。ＣＲＳは、受信ＵＥ１１５のアンテナポートまたはレイヤの数（最高４つ）に少なくとも部分的に基づいて各リソースブロック中の４〜１６個のリソース要素中に埋め込まれ得る。基地局１０５の地理的カバレージエリア１１０中のすべてのＵＥ１１５によって利用され得るＣＲＳに加えて、復調基準信号（ＤＭＲＳ）は、特定のＵＥ１１５を対象とし得、それらのＵＥ１１５に割り当てられたリソースブロック上で送信され得る。ＤＭＲＳは、それらが送信される各リソースブロック中の６つのリソース要素上に信号を含み得る。異なるアンテナポートのためのＤＭＲＳは、それぞれ、同じ６つのリソース要素を利用することができ、（たとえば、異なるリソース要素中で１または−１の異なる組合せで各信号をマスキングする）異なる直交カバーコードを使用して区別され得る。以下で説明するように、いくつかの基準信号は、パターン中で送信され得、基準（たとえば、ＣＲＳ）は、ＰＢＣＨを含むシンボル期間中に送信され得る。基準信号パターンはまた、ＰＢＣＨの部分を繰り返すべきであるのかどうか、またはどこでそれを繰り返すべきであるのかを決定するために使用され得る。
【００４４】
[0053]上述のように、物理リソースを編成するためにフレーム構造が使用され得る。フレームは、１０ｍｓ間隔であり得、それは、１０個の等しいサイズのサブフレームにさらに分割され得る。各サブフレームは、２つの連続するタイムスロットを含み得る。各スロットは、６つまたは７つのＯＦＤＭＡシンボル期間を含み得る。リソース要素は、１つのシンボル期間と１つのサブキャリア（１５ｋＨｚ周波数範囲）とからなる。リソースブロックは、周波数領域中に１２個の連続サブキャリアを含んでおり、各ＯＦＤＭシンボル中のノーマルサイクリックプレフィックスについて、時間領域（１スロット）中に７つの連続ＯＦＤＭシンボル、または８４個のリソース要素を含んでいることがある。いくつかのリソース要素は、ＤＬ基準信号（ＤＬ−ＲＳ）を含み得る。ＤＬ−ＲＳは、セル固有基準信号（ＣＲＳ）とＵＥ固有ＲＳ（ＵＥ−ＲＳ）とを含み得る。ＵＥ−ＲＳは、ＰＤＳＣＨに関連するリソースブロック上で送信され得る。各リソース要素によって搬送されるビット数は、変調スキーム（各シンボル期間中に選択され得るシンボルの構成）に依存し得る。したがって、ＵＥが受信するリソースブロックが多いほど、また変調スキームが高いほど、データレートは高くなり得る。
【００４５】
[0054]ロングタームエボリューション（ＬＴＥ）における時間間隔は、基本時間単位（たとえば、サンプリング周期、Ｔｓ＝１／３０，７２０，０００秒）の倍数単位で表され得る。時間リソースは、０から１０２３にわたるシステムフレーム番号（ＳＦＮ：system frame number）によって識別され得る１０ｍｓの長さの無線フレーム（Ｔｆ＝３０７２００Ｔｓ）に従って編成され得る。各フレームは、０から９までの番号を付けられた１０個の１ｍｓサブフレームを含み得る。サブフレームは、さらに２つの０．５ｍｓスロットに分割され得、その各々は、（各シンボルにプリペンドされたサイクリックプレフィックスの長さに応じて）６つまたは７つの変調シンボル期間を含んでいる。サイクリックプレフィックスを除いて、各シンボルは２０４８個のサンプル期間を含んでいる。場合によっては、サブフレームは、送信時間間隔（ＴＴＩ）としても知られる、最も小さいスケジューリングユニットであり得る。他の場合には、ＴＴＩは、サブフレームよりも短いことがあるか、または（たとえば、短いＴＴＩバーストにおいて、または短いＴＴＩを使用する選択されたコンポーネントキャリアにおいて）動的に選択され得る。
【００４６】
[0055]場合によっては、ワイヤレス通信システム１００は、セルエッジに位置するか、低電力トランシーバを用いて動作するか、あるいは高干渉または経路損失を経験するＵＥ１１５のための通信リンク１２５の品質を改善するために、カバレージ拡張（ＣＥ）技法を利用し得る。ＣＥ技法は、繰り返し送信、ＴＴＩバンドリング、ＨＡＲＱ再送信、ＰＵＳＣＨホッピング、ビームフォーミング、電力ブースティング、反復送信、または他の技法を含み得る。使用されるＣＥ技法は、異なる状況におけるＵＥ１１５の特定のニーズに依存し得る。反復送信は、サブフレーム中の複数のシンボル期間中に同じＯＦＤＭシンボルを送信することを伴い得る。場合によっては、反復送信は、ＰＢＣＨを介した送信中に存在する未使用リソースを利用するために使用され得る。場合によっては、反復送信は、連続または不連続リソースを利用し得る。このプロセスは、劣悪なチャネル状態を日常的に受けるエリアに位置するデバイスに達するのに有効であり得る。たとえば、反復送信は、比較的固定のＭＴＣデバイス（たとえば、メーター）がＰＢＣＨ送信を受信および復号することになる可能性を増加させ得る。
【００４７】
[0056]基地局１０５は、サブフレーム内での繰り返しデータ送信を利用し得るか、またはフレーム内で同じ情報を搬送する複数のサブフレームを送信し得る。いくつかの例では、基地局１０５は、ＣＲＳ、同期信号、制御情報、データなどとともに第１のサブフレーム中でＰＢＣＨを送信する。基地局１０５は、第１のサブフレーム内でＰＢＣＨの部分の繰り返しを作成するために、利用可能なリソースにそれらの部分をマッピングし得る。このマッピングは、第１のサブフレーム内のどのシンボル期間がＣＲＳリソースを含むのかを識別することに少なくとも部分的に基づき得る。基地局１０５は、さらに、第１のサブフレームと同じ無線フレーム内の後続のサブフレーム中で同じＰＢＣＨを送信し得る。後続のサブフレーム中でのＰＢＣＨの部分の繰り返しは、第２のサブフレーム中で利用可能なリソースに同様にまたは別様にマッピングされ得る。ＵＥ１１５は、データリンクの信頼性を増加させることに加えて周波数および位相誤差推定を改善するために繰り返しと重複サブフレームとを利用し得る。
【００４８】
[0057]図２に、本開示の様々な態様による、ＥＭＴＣのためのＰＢＣＨの繰り返しのためのワイヤレス通信システム２００の一例を示す。ワイヤレス通信システム２００は、図１を参照しながら上記で説明したように、ＵＥ１１５または基地局１０５の例であり得、互いに通信し得る、ＵＥ１１５−ａと基地局１０５−ａとを含み得る。ＵＥ１１５−ａは、通信リンク２０５を介してＰＢＣＨ２１５の送信を受信し、復号し得る。場合によっては、ＵＥ１１５−ａはＭＴＣデバイスであり得る。
【００４９】
[0058]ワイヤレス通信システム２００は、上述のように、ネットワークへのアクセスをＵＥ１１５−ａに与え得る。通信リンク１２５−ａを確立する前に、ＵＥ１１５−ａは、時間および周波数同期を実行し得る。たとえば、ＵＥ１１５−ａは、システム同期を開始するために基地局１０５−ａからの同期信号のブロードキャスト（たとえば、１次同期信号（ＰＳＳ）および２次同期信号（ＳＳＳ））を活用し得る。ＰＳＳとＳＳＳとが取得されると、ＵＥ１１５−ａは、基地局１０５−ａに関連するセル識別情報を決定し、初期セル同期を完了し得る。さらに、ＵＥ１１５−ａは、ＰＢＣＨ上でマスタ情報ブロック（ＭＩＢ：master information block）を受信し得る。ＭＩＢは、ＵＥ１１５−ａがシステム情報ブロック（ＳＩＢ）（たとえば、ＳＩＢ１およびＳＩＢ２）からのシステム情報にアクセスすることを可能にする情報を搬送し得る。この情報を利用して、ＵＥ１１５−ａは、最初のアクセスプロシージャを完了し、通信リンク１２５−ａを確立し得る。
【００５０】
[0059]いくつかの例では、基地局１０５−ａは、ＵＥ１１５−ａがＰＢＣＨを正常に受信し復号することになる可能性を増加させ、したがって、ＵＥ１１５−ａが重要なシステム情報を受信することになる可能性を増加させるためにＰＢＣＨの繰り返しを使用する。各無線フレーム２１０中で、基地局１０５−ａは、第１のサブフレーム（たとえば、ＳＦ０）中で第１のＰＢＣＨ２１５−ａを送信し、第２のサブフレーム（たとえば、ＴＤＤのためのＳＦ５またはＦＤＤのためのＳＦ９）中で第２のＰＢＣＨ２１５−ｂを送信し得る。第２のＰＢＣＨ２１５−ｂは、第１のＰＢＣＨ２１５−ａと同じ情報を搬送し得、第２のＰＢＣＨ２１５−ｂのシンボルは、以下で説明するように同様にまたは別様に構成され得る。複数のＰＢＣＨ送信は、干渉バーストに対して耐性があり得、ＵＥの１１５−ａの復号作業を支援するかまたはサポーティングするためにＵＥ１１５−ａがＰＢＣＨ２１５の送信を組み合わせることを可能にし得る。
【００５１】
[0060]場合によっては、基地局１０５−ａは、各ＰＢＣＨ２１５の送信に全サブフレームを割り振り得る。ＰＢＣＨ２１５の送信をサポートするために必要なリソースは、サブフレームに割り振られるリソースよりも少ないことがある。たとえば、１６８のリソース要素（すなわち、１２個のサブキャリアおよび１４個のシンボル）のリソース割振りのために、ＰＢＣＨ２１５の送信をサポートするために１１６個のリソース要素が使用され得る。したがって、基地局１０５−ａは、サブフレーム自体内で、ＰＢＣＨで変調されたシンボルを繰り返し得る。繰り返しは、同じ変調シンボルが異なるシンボル期間中に同じトーンを介して送信されるようなものであり得る。これにより、ＵＥ１１５−ａは、基準信号測定値から導出される周波数および位相誤差推定値を補うことが可能になり得る。
【００５２】
[0061]図３Ａ〜図３Ｅに、本開示の様々な態様による、ＰＢＣＨの繰り返しのためのＦＤＤの繰り返しパターン３００の例を示す。ＦＤＤの繰り返しパターン３００は、図１〜図２を参照しながら上記で説明したＵＥ１１５と基地局１０５との間の送信の態様を示し得る。ＦＤＤの繰り返しパターン３００は、ＰＤＣＣＨ３１０の送信と、ＣＲＳ３１５と、ＰＳＳ／ＳＳＳ３２０と、ＰＢＣＨシンボル３０５（Ａ〜Ｄ）と、ＰＢＣＨシンボル３０５の繰り返しとを含み得る。
【００５３】
[0062]図３Ａ中で、基地局１０５は、ＦＤＤ無線フレームの第１のサブフレーム３２２（たとえば、ＳＦ０）中のＰＢＣＨシンボル３０５を識別し得る。サブフレーム３２２は、第１のスロット３２５と第２のスロット３３０とを有し得る。ＰＢＣＨシンボル３０５は、４つの連続するＯＦＤＭシンボルＡ1、Ｂ1、Ｃ1、Ｄ1を含み得、ここで、第１のＯＦＤＭシンボルＡ1は、第２のスロット３３０の第１のシンボル期間（たとえば、シンボル期間７）に位置する。第１および第２のＯＦＤＭシンボルＡ1およびＢ1は、ＣＲＳ３１５で多重化され得、一方、第３および第４のＯＦＤＭシンボルＣ1およびＤ1は、全周波数割振り（たとえば、１２個のサブキャリア）を使用し得る。シンボル期間０〜３は、ＰＤＣＣＨ３１０によって占有され得、シンボル期間５および６は、ＰＳＳ／ＳＳＳ３２０によって占有され得る。
【００５４】
[0063]基地局１０５は、未使用リソース（たとえば、シンボル期間３、４、および１１〜１３中のリソース）を識別し、利用可能なリソースを介してＯＦＤＭシンボルの繰り返しを分散させ得る。基地局１０５は、Ａ1およびＢ1など、ＣＲＳ３１５で多重化されるＯＦＤＭシンボルがＣＲＳ３１５をやはり含むシンボル期間（たとえば、シンボル期間４および１１）にマッピングされ得ると決定し得る。基地局１０５は、同様に、Ｃ1およびＤ1など、全周波数割振りを利用するＯＦＤＭシンボルがＣＲＳを含まないシンボル期間（たとえば、シンボル期間３、４、１２、および１３）にマッピングされ得ると決定し得る。たとえば、ＦＤＤの繰り返し３００−ａに示すように基地局１０５は、シンボル期間４にＯＦＤＭシンボルの繰り返しＡ2をマッピングし、シンボル期間１１にＯＦＤＭシンボルの繰り返しＢ2をマッピングし、シンボル期間３および１２に、それぞれ、ＯＦＤＭシンボルの繰り返しＣ2およびＣ3をマッピングし、シンボル期間１３にＯＦＤＭシンボルの繰り返しＤ2をマッピングし得る。代替的に、基地局１０５は、シンボル期間３にＤ1の繰り返しをマッピングし、シンボル期間１３にＣ1の繰り返しをマッピングし得る。ＣＲＳ３１５で多重化されたＯＦＤＭシンボルがＣＲＳ３１５を含むシンボル期間にマッピングされるという基準を満たす複数の異なるマッピングが実現され得る。
【００５５】
[0064]図３Ｂ〜図３Ｅ中で、基地局１０５は、ＦＤＤ無線フレームの第２のサブフレーム３２３（たとえば、ＳＦ９）中のＰＢＣＨシンボル３０５を識別し得る。第２のサブフレームは、第１のスロット３２６と第２のスロット３３１とを有し得る。第２のサブフレーム３２３も、ＰＤＣＣＨ３１０−ａとＣＲＳ３１５−ａとを含み得る。ＰＢＣＨ送信と第２のサブフレーム３２３とは、上記で説明したように同様に構成され得る。場合によっては、サブフレームは、ＯＦＤＭシンボルの繰り返しをマッピングするための追加のリソースを与え得るＳＳＳまたはＰＳＳを含まないことがある。図３Ｂに、図３Ａに示したマッピングと特性を共有するマッピングを示す。たとえば、シンボル期間３、４、および７〜１３にマッピングされるＯＦＤＭシンボルは、ＦＤＤの繰り返しパターン３００−ｂ中にこれらのシンボル期間にマッピングされるＯＦＤＭシンボルと同じであり得る。このようにして、第１のサブフレームと第２のサブフレームとの間の位相差が追加の周波数推定値を決定するために使用され得る。基地局１０５は、次いで、追加のシンボル期間５および６にどのＯＦＤＭシンボルの繰り返しをマッピングすべきかを決定し得る。たとえば、ＦＤＤの繰り返しパターン３００−ｂに示すように、基地局１０５は、ＯＦＤＭシンボルのうちの３つＢ、Ｃ、およびＤが３回繰り返されるように、およびＯＦＤＭシンボルＡのうちの１つが２回繰り返されるように、ＯＦＤＭシンボルの繰り返しをマッピングし得る。これは、シンボル期間５中でなど、チャネルまたは信号（たとえば、ＰＢＣＨ）のマッピングなしにリソース要素（すなわち、シンボル期間内のサブキャリア）を含むサブフレームを生じ得る。
【００５６】
[0065]代替的に、図３Ｃに示すように、第３および第４のＯＦＤＭシンボルＣ1およびＤ1は、シンボル期間５および６にマッピングされ得る。このようにして、第２のサブフレーム内のリソースのすべてが利用され得、１つのシンボルが４回繰り返され得、１つのシンボルが３回繰り返され得、２つのシンボルが２回繰り返され得る。
【００５７】
[0066]別の代替マッピングでは、図３Ｄに示すように、ＰＢＣＨシンボル３０５は、４つの連続するＯＦＤＭシンボルＡ1、Ｂ1、Ｃ1、Ｄ1を含み得、ここで、第１のＯＦＤＭシンボルＡ1は、第１のスロットの第５のシンボル期間（たとえば、シンボル期間５）に位置する。第１および第２のＯＦＤＭシンボルＡ1およびＢ1は全周波数割振り（たとえば、１２個のサブキャリア）を使用し得、一方、第３および第４のＯＦＤＭシンボルは、ＣＲＳ３１５−ｃで多重化され得る。基地局１０５は、次いで、残りのシンボル期間にどのＯＦＤＭシンボルの繰り返しをマッピングすべきかを決定し得る。たとえば、ＦＤＤの繰り返し３００−ｄによって示すように、基地局１０５は、ＯＦＤＭシンボルのうちの３つＡ、Ｂ、およびＣが３回繰り返されるように、およびＯＦＤＭシンボルＤのうちの１つが２回繰り返されるように、ＯＦＤＭシンボルの繰り返しをマッピングし得る。これは、「これは、シンボル期間３中でなど、チャネルまたは信号（たとえば、ＰＢＣＨ）のマッピングなしにリソース要素（すなわち、シンボル期間内のサブキャリア）を含むサブフレームを生じ得る」を含むサブフレームを生じ得る。
【００５８】
[0067]代替的に、図３Ｅに示すように、１つのＯＦＤＭシンボルＡが４回繰り返され得、１つのＯＦＤＭシンボルＢが３回繰り返され得、２つのＯＦＤＭシンボルＣおよびＤが２回繰り返され得る。このようにして、第２のサブフレーム３２３−ｃ内のリソースのすべてが利用され得る。
【００５９】
[0068]図４Ａ〜図４Ｂに、本開示の様々な態様による、ＰＢＣＨの繰り返しのためのＴＤＤの繰り返しパターン４００の例を示す。ＴＤＤの繰り返しパターン４００は、図１〜図２を参照しながら上記で説明したＵＥ１１５と基地局１０５との間の送信の態様を示し得る。ＴＤＤの繰り返しパターン４００は、ＰＤＣＣＨ４１０の送信と、ＣＲＳ４１５と、ＰＳＳ／ＳＳＳ４２０と、サブフレーム４２２内で繰り返され得るＰＢＣＨシンボル４０５（Ａ〜Ｄ）とを含み得る。サブフレーム４２２は、第１のスロット４２５と第２のスロット４３０とを含み得る。
【００６０】
[0069]図４Ａ中で、基地局１０５は、ＴＤＤ無線フレームの第１のサブフレーム４２２（たとえば、ＳＦ０）中のＰＢＣＨシンボル４０５を識別し得る。ＰＢＣＨシンボル４０５は、４つの連続するＯＦＤＭシンボルＡ1、Ｂ1、Ｃ1、Ｄ1を含み得、ここで、第１のＯＦＤＭシンボルＡ1は、第２のスロットの第１のシンボル期間（たとえば、シンボル期間７）に位置し得る。第１および第２のＯＦＤＭシンボルＡ1およびＢ1は、ＣＲＳ４１５で多重化され得、一方、第３および第４のＯＦＤＭシンボルＣ1およびＤ1は、全周波数割振り（たとえば、１２個のサブキャリア）を使用し得る。シンボル期間０〜３は、ＰＤＣＣＨ４１０によって占有され得、シンボル期間１３は、ＰＳＳ／ＳＳＳ４２０によって占有され得る。
【００６１】
[0070]基地局１０５は、次いで、未使用リソース（たとえば、シンボル期間３〜６、１１、および１２中のリソース）を識別し、利用可能なリソースを介してＯＦＤＭシンボルの繰り返しを分散させ得る。基地局１０５は、Ａ1およびＢ1など、ＣＲＳ４１５で多重化されるＯＦＤＭシンボルがＣＲＳ４１５をやはり含むシンボル期間（たとえば、シンボル期間４および１１）にマッピングされ得ると決定し得る。基地局１０５は、同様に、Ｃ1およびＤ1など、全周波数割振りを利用するＯＦＤＭシンボルがＣＲＳ４１５を含まないシンボル期間（たとえば、シンボル期間３、４、１２、および１３）にマッピングされ得ると決定し得る。たとえば、ＴＤＤの繰り返しパターン４００−ａに示すように基地局１０５は、シンボル期間１１にＯＦＤＭシンボルの繰り返しＡ2をマッピングし、シンボル期間４にＯＦＤＭシンボルの繰り返しＢ2をマッピングし、シンボル期間５および１２に、それぞれ、ＯＦＤＭシンボルの繰り返しＣ2およびＣ3をマッピングし、シンボル期間３および６にＯＦＤＭシンボルの繰り返しＤ2をマッピングし得る。ＣＲＳ４１５で多重化されたＯＦＤＭシンボルがＣＲＳ４１５を含むシンボル期間にマッピングされ得るという基準を満たす複数の異なるマッピングが実現され得る。ＴＤＤの繰り返しパターン４００−ａは、ＴＤＤ無線フレーム内に発生する第１のサブフレーム（たとえば、ＳＦ０）と第２のサブフレーム（たとえば、ＳＦ５）との両方のために使用され得る。このようにして、ＵＥ１１５は、ＰＢＣＨの繰り返しが使用されているのかどうかを決定するために２つのサブフレームを相関させ得る。
【００６２】
[0071]代替的に、図４Ｂでは、ＰＢＣＨシンボル４０５は、４つの連続するＯＦＤＭシンボルＡ1、Ｂ1、Ｃ1、Ｄ1を含み得、ここで、第１のＯＦＤＭシンボルＡ1は、第１のスロット４２５の第５のシンボル期間（たとえば、シンボル期間５）に位置する。第１および第２のＯＦＤＭシンボルＡ1およびＢ1は全周波数割振り（たとえば、１２個のサブキャリア）を使用し得、一方、第３および第４のＯＦＤＭシンボルは、ＣＲＳ４１５−ａで多重化され得る。基地局１０５は、次いで、残りのシンボル期間にどのＯＦＤＭシンボルの繰り返しをマッピングすべきかを決定し得る。たとえば、ＴＤＤの繰り返しパターン４００−ｂによって示すように、基地局１０５は、各シンボルが第１のサブフレームと第２のサブフレームとにわたって等しい回数繰り返されるように、ＯＦＤＭシンボルの繰り返しをマッピングし得る。たとえば、ＴＤＤの繰り返しパターン４００−ａでは、ＡとＢとは２回繰り返され得、一方、ＣとＤとは３回繰り返され得る。ＴＤＤの繰り返しパターン４００−ｂでは、ＡとＢとは３回繰り返され得、一方、ＣとＤとは、２回繰り返され得、各ＯＦＤＭシンボルの５つの繰り返しを生じる。
【００６３】
[0072]基地局１０５は、構造化干渉問題を防止するために繰り返しパターン３００および４００にランダム化をもたらし得る。たとえば、基地局１０５は、準ランダム位相θi,jだけシンボル期間ｉおよびトーンｊ中で送信される変調シンボルを回転させることによって、繰り返し間にある程度のランダム化をもたらし得る。準ランダム位相θi,jは、１次セル識別子に少なくとも部分的に基づいて決定され得る。基地局１０５はまた、１次セル識別子に少なくとも部分的に基づいてＰＢＣＨの繰り返しのマッピングをランダム化し得る。たとえば、第１の基地局１０５のための第１のマッピング、ＦＤＤ：ＳＦ９は、｛Ｃ，Ｄ，Ａ，Ｂ，Ｃ，Ｄ，Ａ，Ｂ，Ｃ，Ａ，Ｂ｝であり得、第２の基地局１０５のための第２のマッピングは、｛Ｄ，Ｃ，Ａ，Ｂ，Ｃ，Ｄ，Ａ，Ｂ，Ｃ，Ｂ，Ａ｝であり得る。
【００６４】
[0073]ＵＥ１１５は、基地局１０５から第１のサブフレームと第２のサブフレームとを受信し、繰り返しシンボルを逆回転させ得る。ＵＥ１１５は、周波数トラッキングループ（ＦＴＬ：frequency tracking loop）中でなど、周波数追跡のために受信されたＰＢＣＨとＰＢＣＨの繰り返しとを使用し得る。たとえば、ＣＲＳトーンを除外する受信信号は、ｓ［ｉ，ｊ］として示され得、ここで、ｉは、時間であり、ｊは、周波数であり、Ωk＝｛［ａ1，ａ2］，［ｂ1，ｂ2］｝は、Ｋ個のＯＦＤＭシンボルによって分離された繰り返しシンボルのペアであり得る。たとえば、図３Ｄに示すように、Ω４＝｛［３，７］，［４，８］，［５，９］，［６，１０］，［７，１１］｝である。相関は、次のように取得され得る。
【００６５】
【数１】
2018524914.tif 000003
【００６６】
周波数推定値は、次いで、次のように、重みｗkをもつ荷重平均として取得され得る。
【００６７】
【数２】
2018524914.tif 000004
【００６８】
ＵＥ１１５は、ＣＲＳから決定された周波数推定値と繰り返しから導出された周波数推定値とを組み合わせ得る。
【００６９】
[0074]ＵＥ１１５は、さらに、繰り返しに少なくとも部分的に基づいてＰＢＣＨが繰り返されるのかどうかを決定し得る。以下の式
【００７０】
【数３】
2018524914.tif 000005
【００７１】
が、Ｈ0について、ＰＢＣＨの繰り返しが使用されないと決定し、Ｈ1についてＰＢＣＨの繰り返しが使用されると決定するために使用され得る。Ｈ0およびＨ1は、ＵＥ１１５によってとられる異なるチャネル測定値に対応し得る。ＵＥ１１５は、次いで、ＰＢＣＨの繰り返しが使用されるのかどうかを決定することに少なくとも部分的に基づいてＰＢＣＨベースのトラッキングループを使用可能にすべきか否かを決定し得る。
【００７２】
[0075]図５に、本開示の様々な態様による、ＥＭＴＣのためのＰＢＣＨの繰り返しのためのプロセスフロー５００の一例を示す。プロセスフロー５００は、図１〜図２を参照しながら上記で説明したＵＥ１１５および基地局１０５の例であり得る、ＵＥ１１５−ｂと基地局１０５−ｂとによって実行され得る。いくつかの例では、基地局１０５−ｂは、第１のサブフレームにＰＢＣＨの繰り返しをマッピングし、ＵＥ１１５−ｂにサブフレームを送信し得る。同じ無線フレーム中で、基地局１０５−ｂは、第２のサブフレームにＰＢＣＨの繰り返しをマッピングし、ＵＥ１１５−ｂにサブフレームを送信し得る。ＵＥ１１５−ｂは、ＰＢＣＨを復号し、周波数情報を決定するために各サブフレーム内の繰り返しと第１および第２の送信とを使用し得る。
【００７３】
[0076]ステップ５０５において、基地局１０５−ｂは、第１のサブフレームに関連するＰＢＣＨとＣＲＳパターンとを識別し得る。場合によっては、基地局１０５−ｂは、ネットワークスケジューリングに少なくとも部分的に基づいてＰＢＣＨが第１のサブフレーム中に送信されるようにスケジュールされていることを識別し得る。ＰＢＣＨは、たとえば、第２のスロットの最初の４つのシンボル期間に位置し得る。ＣＲＳパターンは、１６個のＣＲＳリソース要素を含み得る。いくつかの例では、第１のサブフレームは、ＴＤＤフレームのサブフレーム０（ＳＦ０）であり、第２のサブフレームは、ＴＤＤフレームのサブフレーム５（ＳＦ５）である。他の場合には、基地局１０５−ｂは、ＰＢＣＨ、ＣＲＳリソース、ＰＤＣＣＨ、またはＰＳＳ／ＳＳＳを含むサブフレームへのリソースマッピングを識別し得る。基地局１０５−ｂは、サブフレーム内の利用可能なリソースをさらに識別し得る。いくつかの例では、第１のサブフレーム中のＰＢＣＨを識別することは、ＰＢＣＨとＣＲＳとの部分を含み得るシンボルの第１のセットを識別することを含む。たとえば、基地局１０５−ｂは、ＣＲＳで多重化されたＰＢＣＨシンボルを識別し得る。基地局１０５−ｂはまた、ＣＲＳなしにＰＢＣＨの部分を含むシンボルの第２のセットを識別し得る。たとえば、基地局１０５−ｂは、ＣＲＳで多重化されず、全周波数割振りを使用するＰＢＣＨシンボルまたはＰＢＣＨの一部分を識別し得る。
【００７４】
[0077]ステップ５１０において、基地局１０５−ｂは、第１のサブフレーム内の他のシンボル期間にＰＢＣＨの部分の繰り返しをマッピングし得る。一例では、基地局１０５−ｂは、ＣＲＳを含み、第１のサブフレームに関連付けられるシンボル期間をマッピングし得る。基地局１０５−ｂは、ＰＢＣＨの繰り返しのために利用可能である第１のサブフレームの、ＣＲＳを含む、第１のシンボル期間を識別し得、第１のシンボル期間中にシンボルの第１のセットの少なくとも１つのシンボルを繰り返し得る。たとえば、基地局１０５−ｂは、利用可能なリソースを有し、ＣＲＳをやはり含むシンボル期間に、ＣＲＳで多重化されたＰＢＣＨシンボルの繰り返しをマッピングし得る。他の場合には、基地局１０５−ｂは、ＰＢＣＨの繰り返しのために利用可能である第２のシンボル期間を識別し、第２のシンボル期間は、ＣＲＳを除外し得る。基地局１０５−ｂは、次いで、第２のシンボル期間にＣＲＳを含まないＰＢＣＨの一部分の繰り返しをマッピングし得る。
【００７５】
[0078]場合によっては、基地局１０５−ｂは、ＣＲＳなしの第２のサブフレームのシンボル期間に、ＣＲＳを含むＰＢＣＨの一部分の繰り返しをマッピングし得る。このマッピングは、ヌルトーンまたはリソース要素（すなわち、シンボル期間中のサブキャリアなどの未使用の周波数リソース）を生じ得る。いくつかの例では、基地局は、セル識別情報（ＩＤ）に少なくとも部分的に基づいてＰＢＣＨの繰り返しをマッピングする。たとえば、各基地局は、割り当てられたセルＩＤに少なくとも部分的に基づいてＰＢＣＨの繰り返しの異なるマッピングを決定し得る。したがって、基地局は、どの利用可能なシンボル期間がどのＰＢＣＨの繰り返しに対応するのかを決定し得る。場合によっては、マッピングは、セル間干渉を防止するためにランダム化される。場合によっては、基地局１０５−ｂは、ＵＥ１１５−ｂによってＰＢＣＨが使用されるべきであることをＵＥ１１５−ｂが知るように、ＵＥ１１５−ｂに割り当てられた無線ネットワーク一時識別子（ＲＮＴＩ）を使用して巡回コードを用いてＰＢＣＨを符号化し得る。
【００７６】
[0079]ステップ５１５において、基地局１０５−ｂは、マッピングに少なくとも部分的に基づいてＰＢＣＨとともに第１のサブフレームを送信し得る。第１のサブフレームを送信する前に、基地局１０５−ｂは、繰り返しにランダム化をもたらし得る。たとえば、サブキャリアインデックス、スロットインデックス、セル識別情報、またはシンボルインデックスに少なくとも部分的に基づく位相だけＰＢＣＨの各繰り返し部分を回転させ得る。いくつかの例では、フレームは、時分割複信（ＴＤＤ）フレームであり得る。基地局１０５−ｂは、近くのセルからの干渉を防止するために繰り返しにもたらされる位相回転をランダム化し得る。いくつかの例では、基地局１０５−ｂは、ＵＥ１１５−ｂへの送信の前に巡回コードを使用してＰＢＣＨ（とそれの繰り返しのうちの１つまたは複数と）を符号化し得る。
【００７７】
[0080]ステップ５２０において、ＵＥ１１５−ｂは、サブフレーム中のＰＢＣＨを受信し得、したがって、サブフレームのシンボル期間は、ＣＲＳとＰＢＣＨの一部分の繰り返しとを含む。たとえば、ＵＥ１１５−ｂは、電波を受信し、復調器を使用して電波からビットを復元し得る。一例では、ＵＥ１１５−ｂは、デコーダへの入力であるソフトビットを生成するために復元されたビットの対数尤度比（ＬＬＲ）を計算し得る。デコーダは、ソフトビットを復号し、ＰＢＣＨを含むサブフレームの復号されたビットストリームを出力し得る。デコーダはまた、１つまたは複数のＯＦＤＭシンボルに復号化されたビットストリームのビットをマッピングし得る。
【００７８】
[0081]ステップ５２５において、ＵＥ１１５−ｂは、第１のサブフレームがＰＢＣＨの部分の繰り返しを含むと決定し得る。ＵＥ１１５−ｂは、ＰＢＣＨのために利用可能なシンボル中の信号を識別し、識別された信号に少なくとも部分的に基づいてＰＢＣＨのために利用可能なシンボルがＰＢＣＨの繰り返し部分を含むと決定し得る。場合によっては、ＵＥ１１５−ｂは、セル識別情報（ＩＤ）に少なくとも部分的に基づいてＰＢＣＨの部分の繰り返しパターンを決定し得る。他の場合には、ＵＥ１１５−ｂは、相関技法を通して第１のサブフレームがＰＢＣＨの部分の繰り返しを含むと決定し得る。繰り返しパターンを決定することは、いくつかの例では、サブフレームが任意のＰＢＣＨの繰り返しを含まないと決定することを含む。場合によっては、ＵＥ１１５−ｂは、サブフレーム内のＰＢＣＨまたはそれの繰り返しのいずれかのロケーションを備えていないことがあり、サブフレーム内でＰＢＣＨを求めてブラインド探索を実行し得る。たとえば、ＵＥ１１５−ｂは、受信されたサブフレーム内のＰＢＣＨ（またはそれの繰り返しのいずれか）のための候補ロケーションのセットを識別するために決定された繰り返しパターンを使用し得る。そうするために、ＵＥ１１５−ｂは、候補ロケーションのうちの１つにおいて復号化されたビットストリームのビットを識別し、候補ロケーションにおいて識別されたビットに対してチェック巡回冗長検査（ＣＲＣ）を実行し得る（たとえば候補ロケーションにおいて全候補ＰＢＣＨのビットに対してＣＲＣを実行する）。ＣＲＣエラーが候補ロケーションのうちの特定の１つにおいて発見される場合、ＵＥ１１５−ｂは、候補ロケーションのうちの次の１つにおいて復号されたビットストリームのビットを識別するか、またはすべての候補ロケーションがＣＲＣエラーを有すると決定し得る。候補ロケーションのうちの１つにおいて識別されたビットのためにＣＲＣエラーが発見されない場合、ＵＥ１１５−ｂは、サブフレーム中のＰＢＣＨが正常に検出されたと決定し、サブフレームのためのＰＢＣＨとして識別されたビットを使用し得る。セットの候補ロケーションのうちの１つのためにＣＲＣエラーが識別されないと、ＵＥ１１５−ｂは、そうする必要はないが、残りの候補ロケーションを検査し得る。いくつかの例では、ＵＥ１１５−ｂは、サブキャリアインデックス、スロットインデックス、またはシンボルインデックスに少なくとも部分的に基づく位相だけＰＢＣＨの繰り返し部分を含むシンボルを逆回転させ得る。ＵＥ１１５−ｂは、周波数を推定するために繰り返しを使用し得る。いくつかの例では、周波数の推定は、ＣＲＳに少なくとも部分的に基づく。
【００７９】
[0082]ステップ５３０において、フレームの第２のサブフレームのＣＲＳパターンを識別し得る。いくつかの例では、フレームは、周波数分割複信（ＦＤＤ）フレームである。いくつかの例では、第１のサブフレームは、ＴＤＤフレームのサブフレーム０（ＳＦ０）であり、第２のサブフレームは、ＦＤＤフレームのサブフレーム９（ＳＦ９）である。いくつかの例では、第１のサブフレームと第２のサブフレームとはそれぞれ、同じＣＲＳパターンを含む。
【００８０】
[0083]ステップ５３５において、基地局１０５−ｂは、第２のサブフレームに第１のサブフレームに関連する同じＰＢＣＨをマッピングし得る。場合によっては、ＰＢＣＨは、第２のスロットの最初の４つのシンボル期間にマッピングされる。他の場合には、ＰＢＣＨは、マッピングされ、ＰＢＣＨは、第１のサブフレームと第２のサブフレームとの各々の中のシンボル期間の異なるセットにマッピングされる。たとえば、ＰＢＣＨは、第１のスロットの第５のシンボル期間から始まってマッピングされる。基地局１０５−ｂは、第２のフレーム内の繰り返しマッピングのためのＰＢＣＨの部分を識別し得る。場合によっては、ＰＢＣＨは、ＰＢＣＨの各部分が第１のサブフレームと第２のサブフレームとにわたって等しい回数繰り返されるようにマッピングされる。基地局１０５−ｂは、第１のサブフレームについて上記で説明したマッピングと同様にＰＢＣＨの一部分の繰り返しをマッピングし得る。たとえば、基地局１０５−ｂは、ＣＲＳをも含む第２のサブフレームのシンボル期間にＣＲＳを含む一部分をマッピングし得る。場合によっては、第２のサブフレームは、繰り返しマッピングのために利用可能であるより多くのシンボル期間を含む。たとえば、ＦＤＤ中で、第２のサブフレームは、ＰＳＳ／ＳＳＳを含まないことがある。
【００８１】
[0084]ステップ５４０において、基地局１０５−ｂは、マッピングに少なくとも部分的に基づいてＰＢＣＨとともに第２のサブフレームを送信し得る。第２のサブフレームを送信することは、ステップ５１５で説明したように第１のサブフレームを送信することの態様を含み得る。いくつかの例では、第１のサブフレームと第２のサブフレームとのＣＲＳパターンはそれぞれ、同じＣＲＳパターンを含み、ＰＢＣＨの一部分は、第１のサブフレームと第２のサブフレームとの中のシンボル期間の対応するセットにマッピングされる。別個のステップ（すなわち、５１５および５４０）において示したが、基地局１０５−ｂは、単一の１０ｍｓの無線フレーム内で、ＰＢＣＨの繰り返しを有するいくつかのサブフレームを送信し得る。たとえば、ＴＤＤフレームのＳＦ０およびＳＦ５またはＦＤＤフレームのＳＦ０およびＳＦ９は、本明細書で説明するようにＰＢＣＨの繰り返しを含み得る。
【００８２】
[0085]ステップ５４５および５５０において、ＵＥ１１５−ｂは、ステップ５２０および５２５と同様に、第２のサブフレームを受信および復号し、追加の周波数推定値を決定し得る。ＵＥ１１５−ｂは、さらに、第１のサブフレーム中で受信されたＰＢＣＨを補うために第２のサブフレーム中で受信されたＰＢＣＨを使用し得る。これは、ＵＥ１１５−ｂがＰＢＣＨを正常に復号することになる可能性を増加させ得る。上述のように、フレームのいくつかのサブフレームは、ＰＢＣＨの繰り返しを含み得、したがって、別個のステップ（すなわち、５２５および５５０）において示したが、ＵＥ１１５−ｂは、複数の繰り返しをもつサブフレームをレシーブに少なくとも部分的に基づいてＰＢＣＨが繰り返されると決定し得、ＰＢＣＨを復号し得る。
【００８３】
[0086]図６に、本開示の様々な態様による、ＥＭＴＣのためのＰＢＣＨの繰り返しをサポートするワイヤレスデバイス６００のブロック図を示す。ワイヤレスデバイス６００は、図１〜図５を参照しながら説明したＵＥ１１５の態様の一例であり得る。ワイヤレスデバイス６００は、受信機６０５、ＰＢＣＨ識別子６１０、または送信機６１５を含み得る。ワイヤレスデバイス６００はプロセッサをも含み得る。これらの構成要素の各々は互いに通信していることがある。
【００８４】
[0087]受信機６０５は、パケット、ユーザデータ、または様々な情報チャネルに関連する制御情報など（たとえば、制御チャネル、データチャネル、およびＰＢＣＨの繰り返しに関係する情報など）の情報を受信し得る。情報は、ＰＢＣＨ識別子６１０に、およびワイヤレスデバイス６００の他の構成要素に受け渡され得る。いくつかの例では、受信機１００５は、サブフレーム中のＰＢＣＨを受信し得、サブフレームのシンボル期間のいくつかは、ＣＲＳとＰＢＣＨの一部分の繰り返しとを含み得る。いくつかの例では、サブフレーム中のＰＢＣＨを受信することは、サブフレーム中のＰＢＣＨの一部分の繰り返しを受信することを含む。
【００８５】
[0088]ＰＢＣＨ識別子６１０は、サブフレーム中のＰＢＣＨを受信し得、サブフレームの１つまたは複数のシンボル期間は、ＣＲＳとＰＢＣＨの一部分の繰り返しとを含み、ＰＢＣＨを復号し得る。
【００８６】
[0089]送信機６１５は、ワイヤレスデバイス６００の他の構成要素から受信された信号を送信し得る。いくつかの例では、送信機６１５は、トランシーバモジュール内で受信機６０５とコロケートされ得る。送信機６１５は、単一のアンテナを含み得るか、または複数のアンテナを含み得る。
【００８７】
[0090]図７に、本開示の様々な態様による、ＥＭＴＣのためのＰＢＣＨの繰り返しをサポートするワイヤレスデバイス７００のブロック図を示す。ワイヤレスデバイス７００は、図１〜図６を参照しながら説明したワイヤレスデバイス６００またはＵＥ１１５の態様の一例であり得る。ワイヤレスデバイス７００は、受信機６０５−ａ、ＰＢＣＨ識別子６１０−ａ、または送信機６１５−ａを含み得る。ワイヤレスデバイス７００はまた、プロセッサを含み得る。これらの構成要素の各々は互いに通信していることがある。ＰＢＣＨ識別子６１０−ａはまた、デコーダ７０５を含み得る。
【００８８】
[0091]受信機６０５−ａは、ＰＢＣＨ識別子６１０−ａに、およびワイヤレスデバイス７００の他の構成要素に受け渡され得る情報を受信し得る。ＰＢＣＨ識別子６１０−ａは、図６を参照しながら説明した動作を実行し得る。送信機６１５−ａは、ワイヤレスデバイス７００の他の構成要素から受信された信号を送信し得る。
【００８９】
[0092]デコーダ７０５は、図２〜図５を参照しながら説明したように、ＰＢＣＨを復号し得る。デコーダ７０５はまた、ＰＢＣＨをブラインド検出し得る。
【００９０】
[0093]図８に、本開示の様々な態様による、ＥＭＴＣのためのＰＢＣＨの繰り返しをサポートするワイヤレスデバイス６００またはワイヤレスデバイス７００の構成要素であり得るＰＢＣＨ識別子６１０−ｂのブロック図８００を示す。ＰＢＣＨ識別子６１０−ｂは、図６〜図７を参照しながら説明したＰＢＣＨ識別子６１０の態様の一例であり得る。ＰＢＣＨ識別子６１０−ｂは、デコーダ７０５−ａと、デローテータ８０５と、チャネルモニタ８１０と、推定器８１５とを含み得る。これらのモジュールの各々は、図７を参照しながら説明した機能を実行し得る。
【００９１】
[0094]デコーダ７０５−ａは、図２〜図５を参照しながら説明したように、ＰＢＣＨを復号し得る。デコーダ７０５はまた、ＰＢＣＨをブラインド検出し得る。
【００９２】
[0095]デローテータ（de-rotator）８０５は、図２〜図５を参照しながら説明したように、セル識別情報、サブキャリアインデックス、スロットインデックス、またはシンボルインデックスに少なくとも部分的に基づく位相だけＰＢＣＨの繰り返し部分を含むシンボルを逆回転させ得る。
【００９３】
[0096]チャネルモニタ８１０は、図２〜図５を参照しながら説明したように、セル識別情報（ＩＤ）に少なくとも部分的に基づいてＰＢＣＨの部分の繰り返しパターンを決定し得る。チャネルモニタ８１０はまた、ＰＢＣＨのために利用可能なシンボル中の信号を識別し得る。チャネルモニタ８１０はまた、ＰＢＣＨのために利用可能なシンボルがＰＢＣＨの繰り返し部分を有すると決定し得、決定は、識別された信号に少なくとも部分的に基づき得る。
【００９４】
[0097]推定器８１５は、図２〜図５を参照しながら説明したように、ＰＢＣＨの繰り返し部分を使用して周波数を推定し得る。いくつかの例では、周波数の推定は、ＣＲＳに少なくとも部分的に基づき得る。
【００９５】
[0098]図９に、本開示の様々な態様による、ＥＭＴＣのためのＰＢＣＨの繰り返しをサポートするＵＥ１１５を含むシステム９００の図を示す。システム９００は、図１、図２および図６〜図８を参照しながら説明したワイヤレスデバイス６００、ワイヤレスデバイス７００、またはＵＥ１１５の一例であり得る、ＵＥ１１５−ｃを含み得る。ＵＥ１１５−ｃは、図６〜図８を参照しながら説明したＰＢＣＨ識別子６１０の一例であり得る、ＰＢＣＨ識別子９１０を含み得る。ＵＥ１１５−ｃは、通信を送信するための構成要素と通信を受信するための構成要素とを含む、双方向音声およびデータ通信のための構成要素をも含み得る。たとえば、ＵＥ１１５−ｃは、ＵＥ１１５−ｄまたは基地局１０５−ｃと双方向に通信し得る。
【００９６】
[0099]ＵＥ１１５−ｃはまた、プロセッサ９０５と、（ソフトウェア（ＳＷ）９２０を含む）メモリ９１５と、トランシーバ９３５と、１つまたは複数のアンテナ９４０とを含み得、それらの各々は、（たとえば、バス９４５を介して）互いに直接または間接的に通信し得る。トランシーバ９３５は、上記で説明したように、アンテナ９４０あるいはワイヤードリンクまたはワイヤレスリンクを介して、１つまたは複数のネットワークと双方向に通信し得る。たとえば、トランシーバ９３５は、基地局１０５または別のＵＥ１１５と双方向に通信し得る。トランシーバ９３５は、パケットを変調し、変調されたパケットを送信のためにアンテナ９４０に与え、アンテナ９４０から受信されたパケットを復調するためのモデムを含み得る。ＵＥ１１５−ｃは単一のアンテナ９４０を含み得るが、ＵＥ１１５−ｃはまた、複数のワイヤレス送信を同時に送信または受信することが可能な複数のアンテナ９４０を有し得る。
【００９７】
[0100]メモリ９１５は、ランダムアクセスメモリ（ＲＡＭ）と、読取り専用メモリ（ＲＯＭ）とを含み得る。メモリ９１５は、実行されたとき、プロセッサ９０５に本明細書で説明される様々な機能（たとえば、ＰＢＣＨの繰り返しなど）を実行させる命令を含むコンピュータ可読、コンピュータ実行可能ソフトウェア／ファームウェアコード９２０を記憶し得る。代替的に、ソフトウェア／ファームウェアコード９２０は、プロセッサ９０５によって直接的に実行可能でないことがあるが、（たとえば、コンパイルされ実行されたとき）コンピュータに本明細書で説明する機能を実行させ得る。プロセッサ９０５は、インテリジェントハードウェアデバイス、（たとえば、中央処理ユニット（ＣＰＵ）、マイクロコントローラ、特定用途向け集積回路（ＡＳＩＣ）など）を含み得る。
【００９８】
[0101]図１０に、本開示の様々な態様による、ＰＢＣＨの繰り返しをサポートするワイヤレスデバイス１０００のブロック図を示す。ワイヤレスデバイス１０００は、図１〜図９を参照しながら説明した基地局１０５の態様の一例であり得る。ワイヤレスデバイス１０００は、受信機１００５と、基地局ＰＢＣＨリソースマッパー１０１０と、送信機１０１５とを含み得る。ワイヤレスデバイス１０００はプロセッサをも含み得る。これらの構成要素の各々は互いに通信していることがある。
【００９９】
[0102]受信機１００５は、パケット、ユーザデータ、または様々な情報チャネルに関連する制御情報など（たとえば、制御チャネル、データチャネル、およびＰＢＣＨの繰り返しに関係する情報など）の情報を受信し得る。情報は、基地局ＰＢＣＨリソースマッパー１０１０に、およびワイヤレスデバイス１０００の他の構成要素に受け渡され得る。
【０１００】
[0103]基地局ＰＢＣＨリソースマッパー１０１０は、フレームの第１のサブフレーム中のＰＢＣＨを識別することと、第１のサブフレームのＣＲＳパターンを識別することと、第１のサブフレームのシンボル期間にＰＢＣＨの一部分の第１の繰り返しをマッピングすることと、シンボル期間がＣＲＳを含み得る、第１のサブフレームを送信することとを行い得る。
【０１０１】
[0104]送信機１０１５は、ワイヤレスデバイス１０００の他の構成要素から受信された信号を送信し得る。いくつかの例では、送信機１０１５は、トランシーバモジュール内で受信機１００５とコロケートされ得る。送信機１０１５は、単一のアンテナを含み得るか、または複数のアンテナを含み得る。いくつかの例では、送信機１０１５は、第１のサブフレームを送信し得る。いくつかの例では、送信機１０１５は、第２のサブフレームを送信し得る。
【０１０２】
[0105]図１１に、本開示の様々な態様による、ＥＭＴＣのためのＰＢＣＨの繰り返しのためのワイヤレスデバイス１１００のブロック図を示す。ワイヤレスデバイス１１００は、図１〜図１０を参照しながら説明したワイヤレスデバイス１０００または基地局１０５の態様の一例であり得る。ワイヤレスデバイス１１００は、受信機１００５−ａと、基地局ＰＢＣＨリソースマッパー１０１０−ａと、送信機１０１５−ａとを含み得る。ワイヤレスデバイス１１００はプロセッサをも含み得る。これらの構成要素の各々は互いに通信していることがある。基地局ＰＢＣＨリソースマッパー１０１０−ａはまた、リソースモニタ１１０５と、チャネルマッパー１１１０とを含み得る。
【０１０３】
[0106]受信機１００５−ａは、基地局ＰＢＣＨリソースマッパー１０１０−ａに、およびワイヤレスデバイス１１００の他の構成要素に受け渡され得る情報を受信し得る。基地局ＰＢＣＨリソースマッパー１０１０−ａは、図１０を参照しながら説明した動作を実行し得る。送信機１０１５−ａは、ワイヤレスデバイス１１００の他の構成要素から受信された信号を送信し得る。
【０１０４】
[0107]リソースモニタ１１０５は、図２〜図５を参照しながら説明したように、フレームの第１のサブフレーム中のＰＢＣＨを識別し得る。リソースモニタ１１０５はまた、第１のサブフレームのＣＲＳパターンを識別し得る。いくつかの例では、第１のサブフレーム中のＰＢＣＨを識別することは、ＰＢＣＨとＣＲＳとの部分を有するシンボルの第１のセットを識別することを含む。リソースモニタ１１０５はまた、ＣＲＳなしにＰＢＣＨの部分を有するシンボルの第２のセットを識別し得る。リソースモニタ１１０５はまた、ＰＢＣＨの繰り返しのために利用可能である第２のシンボル期間を識別し、第２のシンボル期間は、ＣＲＳを除外し得る。リソースモニタ１１０５はまた、フレームの第２のサブフレームのＣＲＳパターンを識別し得る。いくつかの例では、フレームは、ＴＤＤフレームである。いくつかの例では、第１のサブフレームは、ＴＤＤフレームのサブフレーム０（ＳＦ０）であり、第２のサブフレームは、ＴＤＤフレームのサブフレーム５（ＳＦ５）である。いくつかの例では、フレームは、ＦＤＤフレームである。いくつかの例では、第１のサブフレームは、ＦＤＤフレームのサブフレーム０（ＳＦ０）であり、第２のサブフレームは、ＦＤＤフレームのサブフレーム９（ＳＦ９）である。
【０１０５】
[0108]チャネルマッパー１１１０は、図２〜図５を参照しながら説明したように、第１のサブフレームのシンボル期間にＰＢＣＨの一部分の第１の繰り返しをマッピングし得る。いくつかの例では、ＰＢＣＨの一部分の第１の繰り返しをマッピングすることは、ＰＢＣＨの繰り返しのために利用可能であり得る第１のサブフレームの第１のシンボル期間を識別することを含み、第１のシンボル期間は、ＣＲＳを有し得る。チャネルマッパー１１１０はまた、第１のシンボル期間中にシンボルの第１のセットのうちの少なくとも１つのシンボルを繰り返し得る。チャネルマッパー１１１０はまた、第２のシンボル期間中にシンボルの第２のセットのうちの少なくとも１つのシンボルを繰り返し得る。チャネルマッパー１１１０はまた、フレームの第２のサブフレームにＰＢＣＨの各部分をマッピングし得る。チャネルマッパー１１１０はまた、ＣＲＳを含み得る第２のサブフレームのシンボル期間にＰＢＣＨの一部分の第２の繰り返しをマッピングし得る。いくつかの例では、共通のＣＲＳパターンをそれぞれ有する第１のサブフレームと第２のサブフレームとのＣＲＳパターンと、ＰＢＣＨの一部分とは、第１のサブフレームと第２のサブフレームとの中のシンボル期間の対応するセットにマッピングされ得る。チャネルマッパー１１１０はまた、ＣＲＳなしに第２のサブフレームのシンボル期間にＰＢＣＨの第２の部分の第３の繰り返しをマッピングし得、サブキャリアのサブセットは、第２のサブフレームのシンボル期間中にＰＢＣＨを除外する。いくつかの例では、同じＣＲＳパターンをそれぞれ有する第１および第２のサブフレームと、ＰＢＣＨの各部分とは、第１のサブフレームと第２のサブフレームとにわたって等しい回数繰り返され得る。いくつかの例では、第１のサブフレームと第２のサブフレームとのＣＲＳパターンは、同じＣＲＳパターンであり、ＰＢＣＨは、第１のサブフレームと第２のサブフレームとの各々の中のシンボル期間の異なるセットにマッピングされ得る。チャネルマッパー１１１０はまた、ＣＲＳなしに第２のサブフレームのシンボル期間にＰＢＣＨの一部分を有する第３の繰り返しをマッピングし得、ここにおいて、サブキャリアのサブセットは、第２のサブフレームのシンボル期間中にＰＢＣＨを除外する。場合によっては、ＰＢＣＨは、セル識別情報（ＩＤ）に少なくとも部分的に基づいてマッピングされる。
【０１０６】
[0109]図１２に、本開示の様々な態様による、ＥＭＴＣのためのＰＢＣＨの繰り返しをサポートするワイヤレスデバイス１０００またはワイヤレスデバイス１１００の構成要素であり得る基地局ＰＢＣＨリソースマッパー１０１０−ｂのブロック図１２００を示す。基地局ＰＢＣＨリソースマッパー１０１０−ｂは、図１０〜図１１を参照しながら説明した基地局ＰＢＣＨリソースマッパー１０１０の態様の一例であり得る。基地局ＰＢＣＨリソースマッパー１０１０−ｂは、リソースモニタ１１０５−ａと、チャネルマッパー１１１０−ａとを含み得る。これらのモジュールの各々は、図１１を参照しながら説明した機能を実行し得る。基地局ＰＢＣＨリソースマッパー１０１０−ｂはローテータ１２０５をも含み得る。
【０１０７】
[0110]ローテータ１２０５は、図２〜図５を参照しながら説明したように、サブキャリアインデックス、スロットインデックス、セル識別情報、またはシンボルインデックスに少なくとも部分的に基づく位相だけＰＢＣＨの各繰り返し部分を回転させ得る。
【０１０８】
[0111]図１３に、本開示の様々な態様による、ＰＢＣＨの繰り返しをサポートする基地局１０５を含むシステム１３００の図を示す。システム１３００は、図１、図２、および図１０〜図１２を参照しながら説明したワイヤレスデバイス１０００、ワイヤレスデバイス１１００、または基地局１０５の一例であり得る、基地局１０５−ｄを含み得る。基地局１０５−ｄは、図１０〜図１２を参照しながら説明した基地局ＰＢＣＨリソースマッパー１０１０の一例であり得る、基地局ＰＢＣＨリソースマッパー１３１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、ＵＥ１１５−ｅ、ＵＥ１１５−ｆ、基地局１０５−ｅ、または基地局１０５−ｆと双方向に通信し得る。
【０１０９】
[0112]場合によっては、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール１３２５を利用して１０５−ｅまたは１０５−ｆなどの他の基地局と通信し得る。いくつかの例では、基地局通信モジュール１３２５は、基地局１０５のうちのいくつかの間の通信を行うために、Ｌｏｎｇ  ＬＴＥ／ＬＴＥ−Ａワイヤレス通信ネットワーク技術内のＸ２インターフェースを与え得る。いくつかの例では、基地局１０５−ｄは、コアネットワーク１３０を通して他の基地局と通信し得る。場合によっては、基地局１０５−ｄは、ネットワーク通信モジュール１３３０を通してコアネットワーク１３０と通信し得る。
【０１１０】
[0113]基地局１０５−ｄは、プロセッサ１３０５と、（ソフトウェア（ＳＷ）１３２０を含む）メモリ１３１５と、トランシーバ１３３５と、アンテナ１３４０とを含み得、それらの各々は、（たとえば、バスシステム１３４５を介して）直接または間接的に、互いに通信していることがある。トランシーバ１３３５は、アンテナ１３４０を介して、マルチモードデバイスであり得るＵＥ１１５と双方向に通信するように構成され得る。トランシーバ１３３５（または基地局１０５−ｄの他の構成要素）はまた、アンテナ１３４０を介して、１つまたは複数の他の基地局（図示せず）と双方向に通信するように構成され得る。トランシーバ１３３５は、パケットを変調し、変調されたパケットを送信のためにアンテナ１３４０に与え、アンテナ１３４０から受信されたパケットを復調するように構成されたモデムを含み得る。基地局１０５−ｄは、１つまたは複数の関連するアンテナ１３４０をそれぞれもつ、複数のトランシーバ１３３５を含み得る。トランシーバは、図１０の組み合わされた受信機１００５と送信機１０１５との一例であり得る。
【０１１１】
[0114]メモリ１３１５はＲＡＭとＲＯＭとを含み得る。また、メモリ１３１５は、実行されたとき、プロセッサ１３０５に本明細書で説明される様々な機能（たとえば、ＰＢＣＨの繰り返し、カバレージ拡張技法を選択すること、呼処理、データベース管理、メッセージルーティングなど）を実行させるように構成された命令を含んでいるコンピュータ可読、コンピュータ実行可能ソフトウェアコード１３２０を記憶し得る。代替的に、ソフトウェア１３２０は、プロセッサ１３０５によって直接的に実行可能でないことがあるが、たとえば、コンパイルされ実行されたとき、コンピュータに本明細書で説明される機能を実施させるように構成され得る。プロセッサ１３０５は、インテリジェントハードウェアデバイス、たとえば、ＣＰＵ、マイクロコントローラ、ＡＳＩＣなどを含み得る。プロセッサ１３０５は、符号化器、キュー処理モジュール、ベースバンドプロセッサ、無線ヘッドコントローラ、デジタル信号プロセッサ（ＤＳＰ）など、様々な専用プロセッサを含み得る。
【０１１２】
[0115]基地局通信モジュール１３２５は他の基地局１０５との通信を管理し得る。場合によっては、基地局通信モジュール１３２５は、他の基地局１０５と協働してＵＥ１１５との通信を制御するためのコントローラまたはスケジューラを含み得る。たとえば、基地局通信モジュール１３２５は、ビームフォーミングまたはジョイント送信などの様々な干渉緩和技法のためのＵＥ１１５への送信のためのスケジューリングを協調させ得る。
【０１１３】
[0116]ワイヤレスデバイス６００、ワイヤレスデバイス７００、ＰＢＣＨ識別子６１０−ｂ、基地局ＰＢＣＨリソースマッパー１０１０−ｂの構成要素は、適用可能な機能の一部または全部をハードウェアで実行するように適応された少なくとも１つのＡＳＩＣを用いて、個別にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１１４】
[0117]図１４に、本開示の様々な態様による、ＰＢＣＨの繰り返しのための方法１４００を示すフローチャートを示す。方法１４００の動作は、図１〜図１３を参照しながら説明したように、基地局１０５またはそれの構成要素によって実装され得る。たとえば、方法１４００の動作は、図１０〜図１３を参照しながら説明したように、基地局ＰＢＣＨリソースマッパー１０１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明する機能態様を実行し得る。
【０１１５】
[0118]ブロック１４０５において、基地局１０５は、図２〜図５を参照しながら説明したように、フレームの第１のサブフレーム中のＰＢＣＨを識別し得る。いくつかの例では、ブロック１４０５の動作は、図１１を参照しながら説明したように、リソースモニタ１１０５によって実行され得る。
【０１１６】
[0119]ブロック１４１０において、基地局１０５は、図２〜図５を参照しながら説明したように、第１のサブフレームのＣＲＳパターンを識別し得る。いくつかの例では、ブロック１４１０の動作は、図１１を参照しながら説明したように、リソースモニタ１１０５によって実行され得る。
【０１１７】
[0120]ブロック１４１５において、基地局１０５は、図２〜図５を参照しながら説明したように、第１のサブフレームのシンボル期間にＰＢＣＨの一部分の第１の繰り返しをマッピングし得、シンボル期間は、ＣＲＳを含み得る。いくつかの例では、ブロック１４１５の動作は、図１１を参照しながら説明したように、チャネルマッパー１１１０によって実行され得る。
【０１１８】
[0121]ブロック１４２０において、基地局１０５は、図２〜図５を参照しながら説明したように、第１のサブフレームを送信し得る。いくつかの例では、ブロック１４２０の動作は、図１０を参照しながら説明したように、送信機１０１５によって実行され得る。
【０１１９】
[0122]図１５に、本開示の様々な態様による、ＰＢＣＨの繰り返しのための方法１５００を示すフローチャートを示す。方法１５００の動作は、図１〜図１３を参照しながら説明したように、基地局１０５またはそれの構成要素によって実装され得る。たとえば、方法１５００の動作は、図１０〜図１３を参照しながら説明したように、基地局ＰＢＣＨリソースマッパー１０１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明する機能態様を実行し得る。方法１５００はまた、図１４の方法１４００の態様を組み込み得る。
【０１２０】
[0123]ブロック１５０５において、基地局１０５は、図２〜図５を参照しながら説明したように、フレームのサブフレーム中のＰＢＣＨを識別し得る。いくつかの例では、ブロック１５０５の動作は、図１１を参照しながら説明したように、リソースモニタ１１０５によって実行され得る。
【０１２１】
[0124]ブロック１５１０において、基地局１０５は、図２〜図５を参照しながら説明したように、サブフレームのＣＲＳパターンを識別し得る。いくつかの例では、ブロック１５１０の動作は、図１１を参照しながら説明したように、リソースモニタ１１０５によって実行され得る。
【０１２２】
[0125]ブロック１５１５において、基地局１０５は、ＰＢＣＨの繰り返しのために利用可能であるサブフレームの第１のシンボル期間を識別し得、第１のシンボル期間は、ＣＲＳを含み得る。いくつかの例では、ブロック１５１５の動作は、図１１を参照しながら説明したように、チャネルマッパー１１１０によって実行され得る。
【０１２３】
[0126]ブロック１５２０において、基地局１０５は、図２〜図５を参照しながら説明したように、サブフレームのシンボル期間にＰＢＣＨの一部分の第１の繰り返しをマッピングし得る。いくつかの例では、ブロック１５２０の動作は、図１１を参照しながら説明したように、チャネルマッパー１１１０によって実行され得る。
【０１２４】
[0127]ブロック１５２５において、基地局１０５は、図２〜図５を参照しながら説明したように、ＰＢＣＨの繰り返しのために利用可能である第２のシンボル期間を識別し得、第２のシンボル期間は、ＣＲＳを除外し得る。いくつかの例では、ブロック１５２５の動作は、図１１を参照しながら説明したように、リソースモニタ１１０５によって実行され得る。
【０１２５】
[0128]ブロック１５３０において、基地局１０５は、図２〜図５を参照しながら説明したように、第２のシンボル期間にＰＢＣＨの一部分の第２の繰り返しをマッピングし得る。いくつかの例では、ブロック１５３０の動作は、図１１を参照しながら説明したように、チャネルマッパー１１１０によって実行され得る。
【０１２６】
[0129]ブロック１５３５において、基地局１０５は、図２〜図５を参照しながら説明したように、サブフレームを送信し得る。いくつかの例では、ブロック１５３５の動作は、図１０を参照しながら説明したように、送信機１０１５によって実行され得る。
【０１２７】
[0130]図１６に、本開示の様々な態様による、ＰＢＣＨの繰り返しのための方法１６００を示すフローチャートを示す。方法１６００の動作は、図１〜図１３を参照しながら説明したように、基地局１０５またはそれの構成要素によって実装され得る。たとえば、方法１６００の動作は、図１０〜図１３を参照しながら説明したように、基地局ＰＢＣＨリソースマッパー１０１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明する機能態様を実行し得る。方法１６００はまた、図１４〜図１５の方法１４００、および１５００の態様を組み込み得る。
【０１２８】
[0131]ブロック１６０５において、基地局１０５は、図２〜図５を参照しながら説明したように、フレームの第１のサブフレーム中のＰＢＣＨを識別し得る。いくつかの例では、ブロック１６０５の動作は、図１１を参照しながら説明したように、リソースモニタ１１０５によって実行され得る。
【０１２９】
[0132]ブロック１６１０において、基地局１０５は、図２〜図５を参照しながら説明したように、第１のサブフレームのＣＲＳパターンを識別し得る。いくつかの例では、ブロック１６１０の動作は、図１１を参照しながら説明したように、リソースモニタ１１０５によって実行され得る。
【０１３０】
[0133]ブロック１６１５において、基地局１０５は、図２〜図５を参照しながら説明したように、ＣＲＳを含み得る、第１のサブフレームのシンボル期間にＰＢＣＨの一部分の第１の繰り返しをマッピングし得る。いくつかの例では、ブロック１６１５の動作は、図１１を参照しながら説明したように、チャネルマッパー１１１０によって実行され得る。
【０１３１】
[0134]ブロック１６２０において、基地局１０５は、図２〜図５を参照しながら説明したように、フレームの第２のサブフレームのＣＲＳパターンを識別し得る。いくつかの例では、ブロック１６２０の動作は、図１１を参照しながら説明したように、リソースモニタ１１０５によって実行され得る。
【０１３２】
[0135]ブロック１６２５において、基地局１０５は、図２〜図５を参照しながら説明したように、フレームの第２のサブフレームにＰＢＣＨの各部分をマッピングし得る。いくつかの例では、ブロック１６２５の動作は、図１１を参照しながら説明したように、チャネルマッパー１１１０によって実行され得る。
【０１３３】
[0136]ブロック１６３０において、基地局１０５は、図２〜図５を参照しながら説明したように、第２のサブフレームのシンボル期間にＰＢＣＨの一部分の第２の繰り返しをマッピングし得、シンボル期間は、ＣＲＳを含み得る。いくつかの例では、ブロック１６３０の動作は、図１１を参照しながら説明したように、チャネルマッパー１１１０によって実行され得る。
【０１３４】
[0137]ブロック１６３５において、基地局１０５は、図２〜図５を参照しながら説明したように、第１のサブフレームと第２のサブフレームとを送信し得る。いくつかの例では、ブロック１６３５の動作は、図１０を参照しながら説明したように、送信機１０１５によって実行され得る。
【０１３５】
[0138]図１７に、本開示の様々な態様による、ＰＢＣＨの繰り返しのための方法１７００を示すフローチャートを示す。方法１７００の動作は、図１〜図９を参照しながら説明したように、ＵＥ１１５またはそれの構成要素によって実装され得る。たとえば、方法１７００の動作は、図６〜図９を参照しながら説明したように、ＰＢＣＨ識別子６１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明する機能態様を実行し得る。
【０１３６】
[0139]ブロック１７０５において、ＵＥ１１５は、図２〜図５を参照しながら説明したように、サブフレーム中のＰＢＣＨを受信し得、サブフレームのシンボル期間は、ＣＲＳとＰＢＣＨの一部分の繰り返しとを含み得る。いくつかの例では、ブロック１７０５の動作は、図１０を参照しながら説明したように、受信機１００５によって実行され得る。
【０１３７】
[0140]ブロック１７１０において、ＵＥ１１５は、図２〜図５を参照しながら説明したように、ＰＢＣＨを復号し得る。いくつかの例では、ブロック１７１０の動作は、図１１を参照しながら説明したように、デコーダ７０５によって実行され得る。
【０１３８】
[0141]図１８に、本開示の様々な態様による、ＰＢＣＨの繰り返しのための方法１８００を示すフローチャートを示す。方法１８００の動作は、図１〜図９を参照しながら説明したように、ＵＥ１１５またはそれの構成要素によって実装され得る。たとえば、方法１８００の動作は、図６〜図９を参照しながら説明したように、基地局ＰＢＣＨリソースマッパー１０１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１８００はまた、図１７の方法１７００の態様を組み込み得る。
【０１３９】
[0142]ブロック１８０５において、ＵＥ１１５は、図２〜図５を参照しながら説明したように、サブフレーム中のＰＢＣＨを受信し得、場合によっては、サブフレームのシンボル期間は、ＣＲＳとＰＢＣＨの一部分の繰り返しとを含む。いくつかの例では、ブロック１８０５の動作は、図１０を参照しながら説明したように、受信機１００５によって実行され得る。
【０１４０】
[0143]ブロック１８１０において、ＵＥ１１５は、図２〜図５を参照しながら説明したように、セル識別情報（ＩＤ）に少なくとも部分的に基づいてＰＢＣＨの部分の繰り返しパターンを決定し得る。いくつかの例では、ブロック１８１５の動作は、図１２を参照しながら説明したように、チャネルモニタ１２１０によって実行され得る。
【０１４１】
[0144]ブロック１８１５において、ＵＥ１１５は、図２〜図５を参照しながら説明したように、ＰＢＣＨを復号し得る。いくつかの例では、ブロック１８１０の動作は、図１１を参照しながら説明したように、デコーダ７０５によって実行され得る。
【０１４２】
[0145]図１９に、本開示の様々な態様による、ＰＢＣＨの繰り返しのための方法１９００を示すフローチャートを示す。方法１９００の動作は、図１〜図９を参照しながら説明したように、ＵＥ１１５またはそれの構成要素によって実装され得る。たとえば、方法１９００の動作は、図６〜図９を参照しながら説明したように、ＰＢＣＨ識別子６１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１９００はまた、図１７および図１８の方法１７００および方法１８００の態様を組み込み得る。
【０１４３】
[0146]ブロック１９０５において、ＵＥ１１５は、図２〜図５を参照しながら説明したように、サブフレーム中のＰＢＣＨを受信し得、ここで、サブフレームの少なくとも１つのシンボル期間は、ＣＲＳとＰＢＣＨの一部分の繰り返しとを含む。場合によっては、サブフレーム中のＰＢＣＨを受信することは、サブフレーム中のＰＢＣＨの一部分の繰り返しを受信することを含む。いくつかの例では、ブロック１９０５の動作は、図１０を参照しながら説明したように、受信機１００５によって実行され得る。
【０１４４】
[0147]ブロック１９１０において、ＵＥ１１５は、図２〜図５を参照しながら説明したように、ＰＢＣＨのために利用可能なシンボル中の信号を識別し得る。いくつかの例では、ブロック１９１０の動作は、図１２を参照しながら説明したように、チャネルモニタ１２１０によって実行され得る。
【０１４５】
[0148]ブロック１９１５において、ＵＥ１１５は、図２〜図５を参照しながら説明したように、識別された信号に基づいてＰＢＣＨのために利用可能なシンボルがＰＢＣＨの繰り返し部分を有すると決定し得る。いくつかの例では、ブロック１９１５の動作は、図１２を参照しながら説明したように、チャネルモニタ１２１０によって実行され得る。
【０１４６】
[0149]ブロック１９２０において、ＵＥ１１５は、図２〜図５を参照しながら説明したように、ＰＢＣＨを復号し得る。いくつかの例では、ブロック１９２０の動作は、図１１を参照しながら説明したように、デコーダ７０５によって実行され得る。いくつかの例では、ＰＢＣＨを復号することは、ＰＢＣＨをブラインド検出することをインクルーディングし得、これは、ＰＢＣＨの一部分の繰り返しパターンを決定することと、ＰＢＣＨの一部分の繰り返しパターンに少なくとも部分的に基づいてサブフレーム中のＰＢＣＨをモニタすることとを含み得る。ＰＢＣＨをモニタすることは、繰り返しパターンに少なくとも部分的に基づいてＰＢＣＨのためのサブフレーム中の候補ロケーションのセットを識別することを含み得る。
【０１４７】
[0150]したがって、方法１４００、１５００、１６００、１７００、１８００、および１９００は、ＥＭＴＣのためのＰＢＣＨの繰り返しを与え得る。方法１４００、１５００、１６００、１７００、１８００、および１９００は可能な実装形態について説明していることと、動作およびステップは、他の実装形態が可能であるように、並べ替えられるかまたは場合によっては修正され得ることとに留意されたい。いくつかの例では、方法１４００、１５００、１６００、１７００、１８００、および１９００のうちの２つ以上からの態様が組み合わせられ得る。
【０１４８】
[0151]本明細書での説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わされ得る。
【０１４９】
[0152]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。時分割多元接続（ＴＤＭＡ）システムは、モバイル通信用グローバルシステム（ＧＳＭ（登録商標））などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびグローバルシステムフォーモバイルコミュニケーション（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上記のシステムおよび無線技術、ならびに他のシステムおよび無線技術に使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１５０】
[0153]本明細書で説明されるそのようなネットワークを含む、ＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプの発展型ノードＢ（ｅＮＢ）が様々な地理的領域にカバレージを与える異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）について説明するために使用され得る３ＧＰＰ用語である。
【０１５１】
[0154]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分を構成するセクタに分割され得る。本明細書で説明した１つまたは複数のワイヤレス通信システムは、異なるタイプの基地局（たとえば、マクロセル基地局またはスモールセル基地局）を含み得る。本明細書で説明したＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１５２】
[0155]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセルと、フェムトセルと、マイクロセルとを含み得る。ピコセルは、たとえば、小さい地理的エリアをカバーし得る、ネットワークプロバイダのサービスに加入しているＵＥによる無制限アクセスを可能にし得る。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１５３】
[0156]本明細書で説明される１つまたは複数のワイヤレス通信システムは、同期動作または非同期動作をサポートし得る。同期動作の場合、基地局は、同様のフレームタイミングを有し得、異なる基地局からの送信は、近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【０１５４】
[0157]本明細書で説明したダウンリンク送信は、順方向リンク送信と呼ばれることもあり、アップリンク送信は、逆方向リンク送信と呼ばれることもある。たとえば、図１および図２のワイヤレス通信システム１００および２００を含む本明細書で説明する各通信リンクは、１つまたは複数のキャリアを含み得、ここで、各キャリアは、複数のサブキャリア（たとえば、異なる周波数の波形信号）から構成される信号であり得る。各被変調信号は、異なるサブキャリア上で送られ得、制御情報（たとえば、基準信号、制御チャネルなど）、オーバーヘッド情報、ユーザデータなどを搬送し得る。本明細書で説明した通信リンク（たとえば、図１の通信リンク１２５）は、（たとえば、対スペクトルリソースを使用する）周波数分割複信（ＦＤＤ）動作、または（たとえば、不対スペクトルリソースを使用する）ＴＤＤ動作を使用して、双方向通信を送信し得る。ＦＤＤ（たとえば、フレーム構造タイプ１）とＴＤＤ（たとえば、フレーム構造タイプ２）とのためのフレーム構造が定義され得る。
【０１５５】
[0158]添付の図面に関して、本明細書に記載された説明は、例示的な構成について説明しており、実装され得るかまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明した技法の理解を与えるための具体的な詳細を含む。ただし、これらの技法は、これらの具体的な詳細なしに実施され得る。いくつかの事例では、説明した例の概念を不明瞭にすることを回避するために、よく知られている構造とデバイスとをブロック図の形式で示す。
【０１５６】
[0159]添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別される場合がある。第１の参照ラベルのみが本明細書において使用される場合、その説明は、第２の参照ラベルにかかわらず、同じ第１の参照ラベルを有する同様の構成要素のいずれにも適用可能である。
【０１５７】
[0160]本明細書で説明される情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１５８】
[0161]本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１５９】
[0162]本明細書で説明する機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１６０】
[0163]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０１６１】
[0164]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
【図１】
2018524914.tif 000006
【図２】
2018524914.tif 000007
【図３Ａ】
2018524914.tif 000008
【図３Ｂ】
2018524914.tif 000009
【図３Ｃ】
2018524914.tif 000010
【図３Ｄ】
2018524914.tif 000011
【図３Ｅ】
2018524914.tif 000012
【図４Ａ】
2018524914.tif 000013
【図４Ｂ】
2018524914.tif 000014
【図５】
2018524914.tif 000015
【図６】
2018524914.tif 000016
【図７】
2018524914.tif 000017
【図８】
2018524914.tif 000018
【図９】
2018524914.tif 000019
【図１０】
2018524914.tif 000020
【図１１】
2018524914.tif 000021
【図１２】
2018524914.tif 000022
【図１３】
2018524914.tif 000023
【図１４】
2018524914.tif 000024
【図１５】
2018524914.tif 000025
【図１６】
2018524914.tif 000026
【図１７】
2018524914.tif 000027
【図１８】
2018524914.tif 000028
【図１９】
2018524914.tif 000029
【国際調査報告】
2018524914.tif 000030
2018524914.tif 000031
2018524914.tif 000032